(57)【要約】ケーブルアセンブリの伝搬遅延時間を測定する測定装置であって、この測定装置の変換アダプタに一端が開放されたコネクタと一端が短絡されたコネクタとを順次接続して得られた２つの反射係数振幅値の時間変化特性を重ね合わせ表示し、その分岐点位置の時間と、遠端側において一端が開放されたコネクタが接続されたケーブルアセンブリと遠端側において一端が短絡されたコネクタが接続されたケーブルアセンブリとを順次接続して得られた２つの反射係数振幅値の時間変化特性を重ね合わせ表示し、その分岐点位置の時間とを求め、さらに、これら求めた時間の時間差の２分の１を伝搬遅延時間として求めるようにし、分岐点位置の読み取り容易性による測定者の測定誤差を小さくしている。
2004074857.tif 000002
【特許請求の範囲】
【請求項１】
接続部を介してケーブルアセンブリを接続し、所定の周波数信号を前記ケーブルアセンブリ側に出力し、該所定の周波数信号の反射係数振幅値を測定し、該反射係数振幅値の時間変化特性をもとに該ケーブルアセンブリの伝搬遅延時間を測定するケーブルアセンブリの電気特性測定装置であって、
両端が開放された第１コネクタが前記接続部に接続された第１接続状態と、一端が短絡され、かつ前記第１コネクタ自体の伝搬遅延時間と同じ伝搬遅延時間を有する第２コネクタの他端が前記接続部に接続された第２接続状態と、前記ケーブルアセンブリの一端が前記接続部に接続され該ケーブルアセンブルの他端が前記第１コネクタに接続された第３接続状態と、前記ケーブルアセンブリの一端が前記接続部に接続され該ケーブルアセンブリの他端が前記第２コネクタの他端に接続された第４接続状態とにおける各反射係数振幅値の時間変化特性を計測する反射係数計測手段と、
前記計測された第１接続状態と第２接続状態とにおける各反射係数振幅値の時間変化特性を重ね合わせて可視出力し、または前記計測された第３接続状態と第４接続状態とにおける各反射係数振幅値の時間変化特性を重ね合わせて可視出力する処理を行う出力処理手段と、
を備え、前記第１接続状態と前記第２接続状態とにおける各反射係数振幅値の時間変化特性の分岐点と、前記第４接続状態と前記第４接続状態とにおける各反射係数振幅値の時間変化特性の分岐点との時間差の２分の１を前記伝搬遅延時間として求めることを特徴とするケーブルアセンブリの電気特性測定装置。
【請求項２】
前記出力処理手段は、前記計測された第１〜第４接続状態の各反射係数振幅値の時間変化特性を重ね合わせて可視出力することを特徴とする請求の範囲第１項に記載のケーブルアセンブリの電気特性測定装置。
【請求項３】
２つの前記分岐点を指示する指示手段と、
前記指示手段が指示した可視出力画面上の各分岐点の時間差を算出し、さらにこの時間差の２分の１を前記伝搬遅延時間として出力する伝搬遅延時間算出手段と、
をさらに備えたことを特徴とする請求の範囲第１項に記載のケーブルアセンブリの電気特性測定装置。
【請求項４】
前記出力処理手段は、前記第１接続状態の反射係数振幅値の時間変化特性と前記第２接続状態の反射係数振幅値の時間変化特性とを異なる色で可視出力することを特徴とする請求の範囲第１項に記載のケーブルアセンブリの電気特性測定装置。
【請求項５】
接続部を介してケーブルアセンブリを接続し、所定の周波数信号を前記ケーブルアセンブリ側に出力し、該所定の周波数信号の反射係数振幅値を測定し、該反射係数振幅値の時間変化特性をもとに該ケーブルアセンブリの信号伝搬遅延遅延時間を測定するケーブルアセンブリの電気特性測定装置であって、
両端が開放された第１コネクタが前記接続部に接続された第１接続状態と、一端が短絡され、かつ前記第１コネクタ自体の信号伝搬遅延時間と同じ信号伝搬遅延時間を有する第２コネクタの他端が前記接続部に接続された第２接続状態と、前記ケーブルアセンブリの一端が前記接続部に接続され該ケーブルアセンブルの他端が前記第１コネクタに接続された第３接続状態と、前記ケーブルアセンブリの一端が前記接続部に接続され該ケーブルアセンブリの他端が前記第２コネクタの他端に接続された第４接続状態とにおける各反射係数振幅値の時間変化特性を計測する反射係数計測手段と、
前記計測された第１接続状態と第２接続状態とにおける各反射係数振幅値の時間変化特性を重ね合わせた場合における分岐点と、前記計測された第３接続状態と第４接続状態とにおける各反射係数振幅値の時間変化特性を重ね合わせた場合における分岐点とを求め、各分岐点の時間差の２分の１を前記信号伝搬遅延時間差として出力する時間差演算手段と、
を備えたことを特徴とするケーブルアセンブリの電気特性測定装置。
【請求項６】
前記ケーブルアセンブリの一端と他端とのコネクタ形状は異なり、
前記第１コネクタおよび前記第２コネクタは、前記ケーブルアセンブリの一端と他端とのコネクタ形状にそれぞれ合致したコネクタ形状を有する変換コネクタであることを特徴とする請求の範囲第１項または第５項に記載のケーブルアセンブリの電気特性測定装置。
【請求項７】
前記接続部は、異なるコネクタ形状のコネクタを接続可能とする複数のコネクタ受け部を備えたことを特徴とする請求の範囲第１項または第５項に記載のケーブルアセンブリの電気特性測定装置。
【請求項８】
接続部を介してケーブルアセンブリが接続され、所定の周波数信号が前記ケーブルアセンブリ側に出力され、該所定の周波数信号の反射係数振幅値を測定し、該反射係数振幅値の時間変化特性をもとに該ケーブルアセンブリの信号伝搬遅延遅延時間を測定するケーブルアセンブリの電気特性測定プログラムであって、
両端が開放された第１コネクタが前記接続部に接続された第１接続状態と、一端が短絡され、かつ前記第１コネクタ自体の信号伝搬遅延時間と同じ信号伝搬遅延時間を有する第２コネクタの他端が前記接続部に接続された第２接続状態とにおける各反射係数振幅値の時間変化特性を計測する第１測定処理手順と、
前記第１測定処理手順によって計測された各反射係数振幅値の時間変化特性を重ね合わせて可視出力する第１出力処理手順と、
前記ケーブルアセンブリの一端が前記接続部に接続され該ケーブルアセンブルの他端が前記第１コネクタに接続された第３接続状態と、前記ケーブルアセンブリの一端が前記接続部に接続され該ケーブルアセンブリの他端が前記第２コネクタの他端に接続された第４接続状態とにおける各反射係数振幅値の時間変化特性を計測する第２測定処理手順と、
前記第２測定処理手順によって計測された各反射係数振幅値の時間変化特性を重ね合わせて可視出力する第２出力処理手順と、
をコンピュータに実行させるケーブルアセンブリの電気特性測定プログラム。
【請求項９】
接続部を介してケーブルアセンブリが接続され、所定の周波数信号が前記ケーブルアセンブリ側に出力され、該所定の周波数信号の反射係数振幅値を測定し、該反射係数振幅値の時間変化特性をもとに該ケーブルアセンブリの信号伝搬遅延遅延時間を測定するケーブルアセンブリの電気特性測定プログラムであって、
両端が開放された第１コネクタが前記接続部に接続された第１接続状態と、一端が短絡され、かつ前記第１コネクタ自体の信号伝搬遅延時間と同じ信号伝搬遅延時間を有する第２コネクタの他端が前記接続部に接続された第２接続状態と、前記ケーブルアセンブリの一端が前記接続部に接続され該ケーブルアセンブルの他端が前記第１コネクタに接続された第３接続状態と、前記ケーブルアセンブリの一端が前記接続部に接続され該ケーブルアセンブリの他端が前記第２コネクタの他端に接続された第４接続状態とにおける各反射係数振幅値の時間変化特性を計測する反射係数測定処理手順と、
前記反射係数測定処理手順によって計測された各反射係数振幅値の時間変化特性を重ね合わせて可視出力する出力処理手順と、
をコンピュータに実行させるケーブルアセンブリの電気特性測定プログラム。
【請求項１０】
可視出力画面上で指示された前記第１接続状態と前記第２接続状態とにおける各反射係数振幅値の時間変化特性の分岐点と、可視出力画面上で指示された前記第４接続状態と前記第４接続状態とにおける各反射係数振幅値の時間変化特性の分岐点との間の時間差を求め、この時間差の２分の１を前記信号伝搬遅延時間として求める時間差演算処理手順をさらに含むことを特徴とする請求の範囲第８項または第９項に記載のケーブルアセンブリの電気特性測定プログラム。
【請求項１１】
前記第１出力処理手順、前記第２出力処理手順、または前記出力処理手順は、前記第１接続状態の反射係数振幅値の時間変化特性と前記第２接続状態の反射係数振幅値の時間変化特性とを異なる色で可視出力し、および／または前記第３の接続状態の反射係数振幅値の時間変化特性と前記第４の接続状態の反射係数振幅値の時間変化特性とを異なる色で可視出力することを特徴とする請求の範囲第８項または第９項に記載のケーブルアセンブリの電気特性測定プログラム。
【請求項１２】
前記第１接続状態と前記第２接続状態とにおける各反射係数振幅値の時間変化特性の分岐点の位置と、前記第４接続状態と前記第４接続状態とにおける各反射係数振幅値の時間変化特性の分岐点の位置とを求める分岐点検出処理手順と、
前記分岐点間の時間差の２分の１を前記信号伝搬遅延時間として求める時間差演算処理手順と、
をさらに含むことを特徴とする請求の範囲第８項または第９項に記載のケーブルアセンブリの電気特性測定プログラム。
【請求項１３】
接続部を介してケーブルアセンブリが接続され、所定の周波数信号が前記ケーブルアセンブリ側に出力され、該所定の周波数信号の反射係数振幅値を測定し、該反射係数振幅値の時間変化特性をもとに該ケーブルアセンブリの信号伝搬遅延遅延時間を測定するケーブルアセンブリの電気特性測定プログラムであって、
両端が開放された第１コネクタが前記接続部に接続された第１接続状態と、一端が短絡され、かつ前記第１コネクタ自体の信号伝搬遅延時間と同じ信号伝搬遅延時間を有する第２コネクタの他端が前記接続部に接続された第２接続状態と、前記ケーブルアセンブリの一端が前記接続部に接続され該ケーブルアセンブルの他端が前記第１コネクタに接続された第３接続状態と、前記ケーブルアセンブリの一端が前記接続部に接続され該ケーブルアセンブリの他端が前記第２コネクタの他端に接続された第４接続状態とにおける各反射係数振幅値の時間変化特性を計測する反射係数測定処理手順と、
前記第１接続状態と前記第２接続状態とにおける各反射係数振幅値の時間変化特性の分岐点の位置と、前記第４接続状態と前記第４接続状態とにおける各反射係数振幅値の時間変化特性の分岐点の位置とを求める分岐点検出処理手順と、
前記分岐点間の時間差の２分の１を前記信号伝搬遅延時間として求める時間差演算処理手順と、
をコンピュータに実行させるケーブルアセンブリの電気特性測定プログラム。
【請求項１４】
接続部を介してケーブルアセンブリが接続され、所定の周波数信号が前記ケーブルアセンブリ側に出力され、該所定の周波数信号の反射係数振幅値を測定し、該反射係数振幅値の時間変化特性をもとに該ケーブルアセンブリの信号伝搬遅延遅延時間を測定するケーブルアセンブリの電気特性測定方法であって、
両端が開放された第１コネクタが前記接続部に接続された第１接続状態と、一端が短絡され、かつ前記第１コネクタ自体の信号伝搬遅延時間と同じ信号伝搬遅延時間を有する第２コネクタの他端が前記接続部に接続された第２接続状態とにおける各反射係数振幅値の時間変化特性を計測する第１測定処理工程と、
前記第１測定処理手順によって計測された各反射係数振幅値の時間変化特性を重ね合わせて可視出力する第１出力処理工程と、
前記ケーブルアセンブリの一端が前記接続部に接続され該ケーブルアセンブルの他端が前記第１コネクタに接続された第３接続状態と、前記ケーブルアセンブリの一端が前記接続部に接続され該ケーブルアセンブリの他端が前記第２コネクタの他端に接続された第４接続状態とにおける各反射係数振幅値の時間変化特性を計測する第２測定処理工程と、
前記第２測定処理手順によって計測された各反射係数振幅値の時間変化特性を重ね合わせて可視出力する第２出力処理工程と、
を含み、前記第１出力処理工程によって出力された各反射係数振幅値の時間変化特性の分岐点の時間と、前記第２出力処理工程によって出力された各反射係数振幅値の時間変化特性の分岐点の時間との時間差の２分の１を前記信号伝搬遅延時間として求めることを特徴とするケーブルアセンブリの電気特性測定方法。
【請求項１５】
接続部を介してケーブルアセンブリが接続され、所定の周波数信号が前記ケーブルアセンブリ側に出力され、該所定の周波数信号の反射係数振幅値を測定し、該反射係数振幅値の時間変化特性をもとに該ケーブルアセンブリの信号伝搬遅延遅延時間を測定するケーブルアセンブリの電気特性測定方法であって、
両端が開放された第１コネクタが前記接続部に接続された第１接続状態と、一端が短絡され、かつ前記第１コネクタ自体の信号伝搬遅延時間と同じ信号伝搬遅延時間を有する第２コネクタの他端が前記接続部に接続された第２接続状態と、前記ケーブルアセンブリの一端が前記接続部に接続され該ケーブルアセンブルの他端が前記第１コネクタに接続された第３接続状態と、前記ケーブルアセンブリの一端が前記接続部に接続され該ケーブルアセンブリの他端が前記第２コネクタの他端に接続された第４接続状態とにおける各反射係数振幅値の時間変化特性を計測する測定処理工程と、
前記測定処理手順によって計測された各反射係数振幅値の時間変化特性を重ね合わせて可視出力する出力処理工程と、
を含み、前記出力処理工程によって出力された前記第１接続状態と前記第２接続状態における各反射係数振幅値の時間変化特性の分岐点の時間と、前記第３接続状態と前記第４接続状態とにおける各反射係数振幅値の時間変化特性の分岐点の時間との時間差の２分の１を前記信号伝搬遅延時間として求めることを特徴とするケーブルアセンブリの電気特性測定方法。
【請求項１６】
前記第１出力処理工程、前記第２出力処理工程、または前記出力処理工程は、前記第１接続状態の反射係数振幅値の時間変化特性と前記第２接続状態の反射係数振幅値の時間変化特性とを異なる色で可視出力し、および／または前記第３の接続状態の反射係数振幅値の時間変化特性と前記第４の接続状態の反射係数振幅値の時間変化特性とを異なる色で可視出力することを特徴とする請求の範囲第１４項または第１５項に記載のケーブルアセンブリの電気特性測定方法。
【発明の詳細な説明】
【技術分野】  この発明は、ノートパソコンなどに用いられるケーブルアセンブリのスキューが所定値以内であるか否かを判断するための該ケーブルアセンブリの伝搬遅延時間を測定するケーブルアセンブリの電気特性測定装置、ケーブルアセンブリの電気特性測定プログラムおよびケーブルアセンブリの電気特性測定方法に関し、特に、伝搬遅延時間を精度高く測定することができるケーブルアセンブリの電気特性測定装置、ケーブルアセンブリの電気特性測定プログラムおよびケーブルアセンブリの電気特性測定方法に関するものである。
【背景技術】  近年、ノート型パソコンなどでは、軽量小型化が推進されているとともに、高速高解像度化が推進され、これに伴って高速伝送が可能なケーブルアセンブリが組み込まれるようになっている。ケーブルの信号伝送速度の高速化に伴って、ケーブルアセンブリに許容される伝搬遅延時間差であるスキューの範囲が狭くなっている。これは、伝搬遅延時間差が生じると、信号間の同期がずれ、信号誤りが発生し易くなるからであり、高速伝送である場合、特に小さい伝搬遅延時間差が要求される。このため、ケーブルアセンブリは、伝搬遅延時間差が所定範囲内に収まっているか否かの測定を行う必要がある。
第２０図は、従来のケーブルアセンブリの伝搬遅延時間を測定する測定装置１１０を用いて、被測定対象であるケーブルアセンブリ３０の伝搬遅延時間を測定する模式図を示している。第２０図において、測定装置１１０の変換アダプタ１０４には、直接にケーブルアセンブリ３０の近端側３０ａが接続され、他方の遠端側３０ｂは電気的に開放されている。この接続状態で、測定装置１１０側が所定周波数の信号をケーブルアセンブリ３０側に送信すると、インピーダンスの不整合箇所で反射が生じ、その反射波が生じる。そこで、この測定装置１１０では、第２１図に示すように、入射波に対する反射波の比である反射係数の反射係数振幅値ρの時間変化を求め、この時間変化特性から、伝搬遅延時間Ｔｄを求めている。
第２１図で求めた反射係数振幅値ρの時間変化特性では、時間の経過とともに、最初に、反射係数振幅値ρがケーブルアセンブリ３０の近端側３０ａ近傍に対応する点ＰＰ１で急激に大きくなり、その後、開放端となっているケーブルアセンブリ３０の遠端側３０ｂに対応する点ＰＰ２で急激に大きくなっている。この反射係数振幅値ρの時間変化特性は、測定装置１１０の表示部１０７に表示出力される。測定者は、この表示された時間変化特性の急激に変化する２つの点ＰＰ１，ＰＰ２間の時間差を目視で計測し、この時間差の２分の１を伝搬遅延時間として求めている。この測定法は、ケーブルアセンブリ３０の遠端側３０ｂを開放しているので、オープン法と呼ばれる。
一方、ケーブルアセンブリ３０の遠端側３０ｂを短絡して伝搬遅延時間を求めるショート法は、第２２図に示すように、第２０図に示した接続状態のケーブルアセンブリ３０の遠端側３０ａを短絡ピン１３０で短絡して伝搬遅延時間を求めている。第２３図は、ショート法によって得られた反射係数振幅値ρの時間変化特性を示している。第２３図に示すように、ケーブルアセンブリ３０の遠端側３０ａに対応する点ＰＰ２で、反射係数振幅値ρが急激に小さくなっている点がオープン法で得られた反射係数振幅値ρの時間変化特性と異なっている。ただし、オープン法と同様に、このショート法でも、反射係数振幅値ρが極端に変化する点ＰＰ１，ＰＰ２間の時間差の２分の１を伝搬遅延時間Ｔｄとして求めている。
しかしながら、オープン法およびショート法のいずれを採用しても、点ＰＰ１，ＰＰ２近傍では、これらの拡大図Ｅ１，Ｅ２に示すように、反射係数振幅値ρが大きく波打った特性を有している。このため、測定者は、点ＰＰ１の位置を読み誤る場合があり、精度の高い伝搬遅延時間を測定することができない場合が生ずるという問題点があった。例えば、点ＰＰ１の位置を、ピーク値の点Ｐｔ１として読み取る場合と、点Ｐｔ２として読み取る場合があった。
このことは、測定者による計測誤差が助長され、一層精度の低い伝搬遅延時間の測定が行われることになる。
そこで、この発明は上述した問題点を除去し、測定者による測定誤差を小さくし、客観的に精度の高い伝搬遅延時間の測定を行うことができるケーブルアセンブリの電気特性測定装置、ケーブルアセンブリの電気特性測定プログラムおよびケーブルアセンブリの電気特性測定方法を提供することを目的とする。
【発明の開示】
上述した課題を解決し、目的を達成するため、この発明は、接続部を介してケーブルアセンブリを接続し、所定の周波数信号を前記ケーブルアセンブリ側に出力し、該所定の周波数信号の反射係数振幅値を測定し、該反射係数振幅値の時間変化特性をもとに該ケーブルアセンブリの伝搬遅延時間を測定するケーブルアセンブリの電気特性測定装置であって、両端が開放された第１コネクタが前記接続部に接続された第１接続状態と、一端が短絡され、かつ前記第１コネクタ自体の伝搬遅延時間と同じ伝搬遅延時間を有する第２コネクタの他端が前記接続部に接続された第２接続状態と、前記ケーブルアセンブリの一端が前記接続部に接続され該ケーブルアセンブルの他端が前記第１コネクタに接続された第３接続状態と、前記ケーブルアセンブリの一端が前記接続部に接続され該ケーブルアセンブリの他端が前記第２コネクタの他端に接続された第４接続状態とにおける各反射係数振幅値の時間変化特性を計測する反射係数計測手段と、前記計測された第１接続状態と第２接続状態とにおける各反射係数振幅値の時間変化特性を重ね合わせて可視出力し、または前記計測された第３接続状態と第４接続状態とにおける各反射係数振幅値の時間変化特性を重ね合わせて可視出力する処理を行い、あるいは前記計測された第１〜第４接続状態の各反射係数振幅値の時間変化特性を重ね合わせて可視出力する処理を行う出力処理手段と、を備え、前記第１接続状態と前記第２接続状態とにおける各反射係数振幅値の時間変化特性の分岐点と、前記第４接続状態と前記第４接続状態とにおける各反射係数振幅値の時間変化特性の分岐点との時間差の２分の１を前記伝搬遅延時間として求めることを特徴とする。
この発明によれば、一端が開放した第１コネクタと一端が短絡された第２コネクタの各反射係数振幅値の時間変化特性を重ね合わせたときの分岐点と、ケーブルアセンブリおよびその遠端側に接続された第１コネクタとケーブルアセンブリおよびその遠端側に接続された第２コネクタとの各反射係数振幅値の時間反射特性を重ね合わせたときの分岐点との間の時間差の２分の１をケーブルアセンブリの伝搬遅延時間として求めているので、明瞭な分岐点の視認が可能となり、測定者による測定誤差を小さくでき、精度の高いケーブルアセンブリの伝搬遅延時間を測定することができる。
また、この発明は、２つの前記分岐点を指示する指示手段と、前記指示手段が指示した可視出力画面上の各分岐点の時間差を算出し、さらにこの時間差の２分の１を前記伝搬遅延時間として出力する伝搬遅延時間算出手段と、をさらに備えたことを特徴とする。
この発明によれば、指示手段が可視出力画面上の分岐点を指示するのみで、伝搬遅延時間算出手段が、伝搬遅延時間を算出するようにしているので、測定者にかかる負担を軽減できるとともに、測定誤差を一層小さくすることができる。
また、この発明によれば、前記出力処理手段は、前記第１接続状態の反射係数振幅値の時間変化特性と前記第２接続状態の反射係数振幅値の時間変化特性とを異なる色で可視出力することを特徴とする。
この発明によれば、重ね合わせる２つの反射係数振幅値の時間変化特性を異なる色で可視出力するようにしているので、分岐点の視認が一層容易になり、測定者による測定誤差を小さくすることができる。
また、この発明は、接続部を介してケーブルアセンブリを接続し、所定の周波数信号を前記ケーブルアセンブリ側に出力し、該所定の周波数信号の反射係数振幅値を測定し、該反射係数振幅値の時間変化特性をもとに該ケーブルアセンブリの信号伝搬遅延遅延時間を測定するケーブルアセンブリの電気特性測定装置であって、両端が開放された第１コネクタが前記接続部に接続された第１接続状態と、一端が短絡され、かつ前記第１コネクタ自体の信号伝搬遅延時間と同じ信号伝搬遅延時間を有する第２コネクタの他端が前記接続部に接続された第２接続状態と、前記ケーブルアセンブリの一端が前記接続部に接続され該ケーブルアセンブルの他端が前記第１コネクタに接続された第３接続状態と、前記ケーブルアセンブリの一端が前記接続部に接続され該ケーブルアセンブリの他端が前記第２コネクタの他端に接続された第４接続状態とにおける各反射係数振幅値の時間変化特性を計測する反射係数計測手段と、前記計測された第１接続状態と第２接続状態とにおける各反射係数振幅値の時間変化特性を重ね合わせた場合における分岐点と、前記計測された第３接続状態と第４接続状態とにおける各反射係数振幅値の時間変化特性を重ね合わせた場合における分岐点とを求め、各分岐点の時間差の２分の１を前記信号伝搬遅延時間差として出力する時間差演算手段と、を備えたことを特徴とする。
この発明によれば、重ね合わせる２つの反射係数振幅値の時間変化特性の分岐点が自動検出され、この検出された分岐点をもとに伝搬遅延時間を演算して出力するようにしているので、測定者による測定誤差をなくすことができる。
また、この発明は、前記ケーブルアセンブリの一端と他端とのコネクタ形状が異なる場合、前記第１コネクタおよび前記第２コネクタを、前記ケーブルアセンブリの一端と他端とのコネクタ形状にそれぞれ合致したコネクタ形状を有する変換コネクタとし、あるいは、前記接続部に、異なるコネクタ形状のコネクタを接続可能とする複数のコネクタ受け部を備えるようにしている。
この発明によれば、ケーブルアセンブリの両端のコネクタ形状が異なる場合であっても、作業性良く伝搬遅延時間を測定することができる。
また、この発明は、接続部を介してケーブルアセンブリが接続され、所定の周波数信号が前記ケーブルアセンブリ側に出力され、該所定の周波数信号の反射係数振幅値を測定し、該反射係数振幅値の時間変化特性をもとに該ケーブルアセンブリの信号伝搬遅延遅延時間を測定するケーブルアセンブリの電気特性測定プログラムであって、両端が開放された第１コネクタが前記接続部に接続された第１接続状態と、一端が短絡され、かつ前記第１コネクタ自体の信号伝搬遅延時間と同じ信号伝搬遅延時間を有する第２コネクタの他端が前記接続部に接続された第２接続状態とにおける各反射係数振幅値の時間変化特性を計測する第１測定処理手順と、前記第１測定処理手順によって計測された各反射係数振幅値の時間変化特性を重ね合わせて可視出力する第１出力処理手順と、前記ケーブルアセンブリの一端が前記接続部に接続され該ケーブルアセンブルの他端が前記第１コネクタに接続された第３接続状態と、前記ケーブルアセンブリの一端が前記接続部に接続され該ケーブルアセンブリの他端が前記第２コネクタの他端に接続された第４接続状態とにおける各反射係数振幅値の時間変化特性を計測する第２測定処理手順と、前記第２測定処理手順によって計測された各反射係数振幅値の時間変化特性を重ね合わせて可視出力する第２出力処理手順と、をコンピュータに実行させるケーブルアセンブリの電気特性測定プログラムである。
また、この発明は、接続部を介してケーブルアセンブリが接続され、所定の周波数信号が前記ケーブルアセンブリ側に出力され、該所定の周波数信号の反射係数振幅値を測定し、該反射係数振幅値の時間変化特性をもとに該ケーブルアセンブリの信号伝搬遅延遅延時間を測定するケーブルアセンブリの電気特性測定プログラムであって、両端が開放された第１コネクタが前記接続部に接続された第１接続状態と、一端が短絡され、かつ前記第１コネクタ自体の信号伝搬遅延時間と同じ信号伝搬遅延時間を有する第２コネクタの他端が前記接続部に接続された第２接続状態と、前記ケーブルアセンブリの一端が前記接続部に接続され該ケーブルアセンブルの他端が前記第１コネクタに接続された第３接続状態と、前記ケーブルアセンブリの一端が前記接続部に接続され該ケーブルアセンブリの他端が前記第２コネクタの他端に接続された第４接続状態とにおける各反射係数振幅値の時間変化特性を計測する反射係数測定処理手順と、前記反射係数測定処理手順によって計測された各反射係数振幅値の時間変化特性を重ね合わせて可視出力する出力処理手順と、をコンピュータに実行させるケーブルアセンブリの電気特性測定プログラムである。
こられの発明によれば、一端が開放した第１コネクタと一端が短絡された第２コネクタの各反射係数振幅値の時間変化特性を重ね合わせたときの分岐点と、ケーブルアセンブリおよびその遠端側に接続された第１コネクタとケーブルアセンブリおよびその遠端側に接続された第２コネクタとの各反射係数振幅値の時間反射特性を重ね合わせたときの分岐点との間の時間差の２分の１をケーブルアセンブリの伝搬遅延時間として求めているので、明瞭な分岐点の視認が可能となり、測定者による測定誤差を小さくでき、精度の高いケーブルアセンブリの伝搬遅延時間を測定することができる。
また、この発明は、可視出力画面上で指示された前記第１接続状態と前記第２接続状態とにおける各反射係数振幅値の時間変化特性の分岐点と、可視出力画面上で指示された前記第４接続状態と前記第４接続状態とにおける各反射係数振幅値の時間変化特性の分岐点との間の時間差を求め、この時間差の２分の１を前記信号伝搬遅延時間として求める時間差演算処理手順をさらに含むことを特徴とする。
この発明によれば、指示手段が可視出力画面上の分岐点を指示するのみで、伝搬遅延時間算出手段が、伝搬遅延時間を算出するようにしているので、測定者にかかる負担を軽減できるとともに、測定誤差を一層小さくすることができる。
また、この発明は、前記第１出力処理手順、前記第２出力処理手順、または前記出力処理手順は、前記第１接続状態の反射係数振幅値の時間変化特性と前記第２接続状態の反射係数振幅値の時間変化特性とを異なる色で可視出力し、および／または前記第３の接続状態の反射係数振幅値の時間変化特性と前記第４の接続状態の反射係数振幅値の時間変化特性とを異なる色で可視出力することを特徴とする。
この発明によれば、重ね合わせる２つの反射係数振幅値の時間変化特性を異なる色で可視出力するようにしているので、分岐点の視認が一層容易になり、測定者による測定誤差を小さくすることができる。
また、この発明は、前記第１接続状態と前記第２接続状態とにおける各反射係数振幅値の時間変化特性の分岐点の位置と、前記第４接続状態と前記第４接続状態とにおける各反射係数振幅値の時間変化特性の分岐点の位置とを求める分岐点検出処理手順と、前記分岐点間の時間差の２分の１を前記信号伝搬遅延時間として求める時間差演算処理手順と、をさらに含むことを特徴とする。
この発明によれば、重ね合わせる２つの反射係数振幅値の時間変化特性の分岐点が自動検出され、この検出された分岐点をもとに伝搬遅延時間を演算して出力するようにしているので、測定者による測定誤差をなくすことができる。
また、この発明は、接続部を介してケーブルアセンブリが接続され、所定の周波数信号が前記ケーブルアセンブリ側に出力され、該所定の周波数信号の反射係数振幅値を測定し、該反射係数振幅値の時間変化特性をもとに該ケーブルアセンブリの信号伝搬遅延遅延時間を測定するケーブルアセンブリの電気特性測定プログラムであって、両端が開放された第１コネクタが前記接続部に接続された第１接続状態と、一端が短絡され、かつ前記第１コネクタ自体の信号伝搬遅延時間と同じ信号伝搬遅延時間を有する第２コネクタの他端が前記接続部に接続された第２接続状態と、前記ケーブルアセンブリの一端が前記接続部に接続され該ケーブルアセンブルの他端が前記第１コネクタに接続された第３接続状態と、前記ケーブルアセンブリの一端が前記接続部に接続され該ケーブルアセンブリの他端が前記第２コネクタの他端に接続された第４接続状態とにおける各反射係数振幅値の時間変化特性を計測する反射係数測定処理手順と、前記第１接続状態と前記第２接続状態とにおける各反射係数振幅値の時間変化特性の分岐点の位置と、前記第４接続状態と前記第４接続状態とにおける各反射係数振幅値の時間変化特性の分岐点の位置とを求める分岐点検出処理手順と、前記分岐点間の時間差の２分の１を前記信号伝搬遅延時間として求める時間差演算処理手順と、をコンピュータに実行させるケーブルアセンブリの電気特性測定プログラムである。
この発明によれば、重ね合わせる２つの反射係数振幅値の時間変化特性の分岐点が自動検出され、この検出された分岐点をもとに伝搬遅延時間を演算して出力するようにしているので、測定者による測定誤差をなくすことができる。
また、この発明は、接続部を介してケーブルアセンブリが接続され、所定の周波数信号が前記ケーブルアセンブリ側に出力され、該所定の周波数信号の反射係数振幅値を測定し、該反射係数振幅値の時間変化特性をもとに該ケーブルアセンブリの信号伝搬遅延遅延時間を測定するケーブルアセンブリの電気特性測定方法であって、両端が開放された第１コネクタが前記接続部に接続された第１接続状態と、一端が短絡され、かつ前記第１コネクタ自体の信号伝搬遅延時間と同じ信号伝搬遅延時間を有する第２コネクタの他端が前記接続部に接続された第２接続状態とにおける各反射係数振幅値の時間変化特性を計測する第１測定処理工程と、前記第１測定処理手順によって計測された各反射係数振幅値の時間変化特性を重ね合わせて可視出力する第１出力処理工程と、前記ケーブルアセンブリの一端が前記接続部に接続され該ケーブルアセンブルの他端が前記第１コネクタに接続された第３接続状態と、前記ケーブルアセンブリの一端が前記接続部に接続され該ケーブルアセンブリの他端が前記第２コネクタの他端に接続された第４接続状態とにおける各反射係数振幅値の時間変化特性を計測する第２測定処理工程と、前記第２測定処理手順によって計測された各反射係数振幅値の時間変化特性を重ね合わせて可視出力する第２出力処理工程と、を含み、前記第１出力処理工程によって可視出力された各反射係数振幅値の時間変化特性の分岐点の時間と、前記第２出力処理工程によって可視出力された各反射係数振幅値の時間変化特性の分岐点の時間との時間差の２分の１を前記信号伝搬遅延時間として求めることを特徴とする。
また、この発明は、接続部を介してケーブルアセンブリが接続され、所定の周波数信号が前記ケーブルアセンブリ側に出力され、該所定の周波数信号の反射係数振幅値を測定し、該反射係数振幅値の時間変化特性をもとに該ケーブルアセンブリの信号伝搬遅延遅延時間を測定するケーブルアセンブリの電気特性測定方法であって、両端が開放された第１コネクタが前記接続部に接続された第１接続状態と、一端が短絡され、かつ前記第１コネクタ自体の信号伝搬遅延時間と同じ信号伝搬遅延時間を有する第２コネクタの他端が前記接続部に接続された第２接続状態と、前記ケーブルアセンブリの一端が前記接続部に接続され該ケーブルアセンブルの他端が前記第１コネクタに接続された第３接続状態と、前記ケーブルアセンブリの一端が前記接続部に接続され該ケーブルアセンブリの他端が前記第２コネクタの他端に接続された第４接続状態とにおける各反射係数振幅値の時間変化特性を計測する測定処理工程と、前記測定処理手順によって計測された各反射係数振幅値の時間変化特性を重ね合わせて可視出力する出力処理工程と、を含み、前記出力処理工程によって可視出力された前記第１接続状態と前記第２接続状態における各反射係数振幅値の時間変化特性の分岐点の時間と、前記第３接続状態と前記第４接続状態とにおける各反射係数振幅値の時間変化特性の分岐点の時間との時間差の２分の１を前記信号伝搬遅延時間として求めることを特徴とする。
これらの発明によれば、一端が開放した第１コネクタと一端が短絡された第２コネクタの各反射係数振幅値の時間変化特性を重ね合わせたときの分岐点と、ケーブルアセンブリおよびその遠端側に接続された第１コネクタとケーブルアセンブリおよびその遠端側に接続された第２コネクタとの各反射係数振幅値の時間反射特性を重ね合わせたときの分岐点との間の時間差の２分の１をケーブルアセンブリの伝搬遅延時間として求めているので、明瞭な分岐点の視認が可能となり、測定者による測定誤差を小さくでき、精度の高いケーブルアセンブリの伝搬遅延時間を測定することができる。
また、この発明は、前記第１出力処理工程、前記第２出力処理工程、または前記出力処理工程は、前記第１接続状態の反射係数振幅値の時間変化特性と前記第２接続状態の反射係数振幅値の時間変化特性とを異なる色で可視出力し、および／または前記第３の接続状態の反射係数振幅値の時間変化特性と前記第４の接続状態の反射係数振幅値の時間変化特性とを異なる色で可視出力することを特徴とする。
この発明によれば、重ね合わせる２つの反射係数振幅値の時間変化特性を異なる色で可視出力するようにしているので、分岐点の視認が一層容易になり、測定者による測定誤差を小さくすることができる。
【図面の簡単な説明】  第１図は、この発明の第１の実施の形態である測定装置の構成を示すブロック図である。第２図は、測定装置の変換アダプタと一端が開放されたコネクタとの接続状態を示す図である。第３図は、コネクタを開放した場合とコネクタを短絡した場合との各反射係数振幅値の時間変化特性の重ね合わせ処理を示す図である。第４図は、測定装置の変換アダプタと一端が開放されたコネクタが接続されたケーブルアセンブリとの接続状態を示す図である。第５図は、ケーブルアセンブリを接続し、コネクタを開放した場合とコネクタを短絡した場合との各反射係数振幅値の時間変化特性の重ね合わせ処理を示す図である。第６図は、伝搬遅延時間が測定できる原理を説明する図である。第７図は、この発明の第１の実施の形態である測定装置によるケーブルアセンブリの伝搬遅延時間の測定処理手順を示すフローチャートである。第８図は、４つの反射係数振幅値の時間変化特性を同時に重ね合わせる処理を説明する図である。第９図は、この発明の第１の実施の形態の変形例である測定装置によるケーブルアセンブリの伝搬遅延時間の測定処理手順を示すフローチャートである。第１０図は、この発明の第１の実施の形態である測定装置によって計測されたケーブルアセンブリの伝搬遅延時間の測定結果を示す図である。第１１図は、従来のオープン法によって計測されたケーブルアセンブリの伝搬遅延時間の測定結果を示す図である。第１２図は、ケーブルアセンブリの両端のコネクタ形状が同じ場合に用いられるコネクタの一例を示す図である。第１３図は、ケーブルアセンブリの両端のコネクタ形状が同じである他の場合に用いられるコネクタの一例を示す図である。第１４図は、ケーブルアセンブリの両端のコネクタの種類が異なる場合に用いられるコネクタの一例を示す図である。第１５図は、ケーブルアセンブリの両端のコネクタの種類が異なる場合に用いられる変換アダプタの一例を示す図である。第１６図は、この発明の第２の実施の形態である測定装置の構成を示すブロック図である。第１７図は、この発明の第２の実施の形態である測定装置によるケーブルアセンブリの伝搬遅延時間の測定処理手順を示すフローチャートである。第１８図は、この発明の第３の実施の形態である測定装置の構成を示すブロック図である。第１９図は、この発明の第３の実施の形態である測定装置によるケーブルアセンブリの伝搬遅延時間の測定処理手順を示すフローチャートである。第２０図は、従来のオープン法による測定装置とケーブルアセンブリとの接続関係を示す図である。第２１図は、従来のオープン法によって得られた反射係数振幅値の時間変化特性を示す図である。第２２図は、従来のショート法による測定装置とケーブルアセンブリとの接続関係を示す図である。第２３図は、従来のショート法によって得られた反射係数振幅値の時間変化特性を示す図である。
【発明を実施するための最良の形態】  以下、添付図面を参照して、この発明に係るケーブルアセンブリの電気特性測定装置、ケーブルアセンブリの電気特性測定プログラムおよびケーブルアセンブリの電気特性測定方法の好適な実施の形態を詳細に説明する。
まず、この発明の第１の実施の形態について説明する。第１図は、この発明の第１の実施の形態である測定装置の構成を示すブロック図である。第１図において、この測定装置は、被測定対象のケーブルアセンブリ３０の伝搬遅延時間を測定するものであり、サンプリングヘッド１１、記録部５、表示処理部６、表示部７、入力部８、出力部９、およびこれら各部を制御する制御部Ｃを有する。
サンプリングヘッド１１は、信号発生部１、計測部２およびサーキュレータ３を有し、高周波信号を用いた測定を行うため、ケーブルアセンブリ３０の近傍まで持ち運ばれ、ケーブルを介して測定装置１０本体に接続される。これによって、ケーブル長などの影響を極力なくした精度の高い高周波測定を行うことができる。信号発生部１は、ケーブルアセンブリ３０が伝送する高周波信号を発生し、サーキュレータ３を介してケーブルアセンブリ３０側に送出される。ケーブルアセンブリ３０側から反射して戻る高周波信号は、サーキュレータ３を介して計測部２に入力される。計測部２は、信号発生部１が出力した高周波信号の入射波とケーブルアセンブリ３０側から戻った反射波との比である反射係数振幅値ρの時間変化特性を計測し、計測結果を記録部５に出力する。
サンプリングヘッド１１に接続された変換アダプタ４には、一端が開放されたコネクタ２１、一端が短絡されたコネクタ２２、ケーブルアセンブリ３０の遠端側にコネクタ２１が接続されたケーブルアセンブリ３０の近端側、ケーブルアセンブリ３０の遠端側にコネクタ２２が接続されたケーブルアセンブリ３０の近端側が順次接続され、この４つの接続状態における反射係数振幅値ρの時間変化特性がサンプリングヘッド１１によって順次計測される。この４つの状態の計測結果である反射係数振幅値ρの時間変化特性５ａ〜５ｄは、記録部５に記録される。
表示処理部６は、変換アダプタ４にコネクタ２１，２２が接続されたときの各反射係数振幅値ρの時間変化特性５ａ，５ｂを表示部７に重ね合わせて表示出力させる処理を行うとともに、ケーブルアセンブリ３０の遠端側にコネクタ２１，２２が接続されたときの各反射係数振幅値ρの時間変化特性５ｃ，５ｄを表示部７に重ね合わせて表示出力させる処理を行う。表示部７は、ＬＣＤなどによって実現される。
入力部８は、キーボード、テンキー、入力パネル、マウスなどのポインティングデバイスなどによって実現され、各種の指示入力を行う。また、出力部９は、プリンタなどによって実現され、入力部８の指示のもとに、プリント出力を行う。なお、入力部８および出力部９は、それぞれ入力インターフェースおよび出力インターフェースを介して外部入力および外部出力できるようにしてもよい。
つぎに、この測定装置１０を用いた伝搬遅延時間の測定処理について説明する。第２図に示すように、測定装置１０のサンプリングヘッド１１は、特性インピーダンスが５０Ωの同軸ケーブル１０ａおよびＳＭＡ型のコネクタ１０ｂを介して変換アダプタ４が接続されている。まず、変換アダプタ４のコネクタ受け部４ｂには、両端が開放状態のコネクタ２１が接続され、第３図（ａ）に示した反射係数振幅値ρの時間変化特性Ｌｏ１が計測され、記録部５に記録される。その後、変換アダプタ４のコネクタ受け部４には、一端が短絡されたコネクタ２２が接続され、第３図（ｂ）に示した反射係数振幅値ρの時間変化特性Ｌｓ１が計測され、記憶部５に記録される。その後、表示処理部６によって、記録部５に記録された反射係数振幅値ρの時間変化特性Ｌｏ１，Ｌｓ１が重ね合わせられて表示部７に表示出力される。
反射係数振幅値ρの時間変化特性Ｌｏ１は、時間の経過とともに、コネクタ２１とコネクタ受け部４ｂとの間に存在するインピーダンス不整合によって反射波が生じて反射係数振幅値ρが増大し、その後コネクタ２１の開放端によって反射係数振幅値ρが急激に大きくなる特性を示す。一方、反射係数振幅値ρの時間変化特性Ｌｓ１は、コネクタ２１の接続時と同様に、時間の経過とともに、コネクタ２２とコネクタ受け部との間に存在するインピーダンス不整合によって反射波が生じて反射係数振幅値ρが増大するが、その後コネクタ２２の短絡端によって反射係数振幅値ρが急激に減少する特性を示す。ここで、反射係数振幅値ρの時間変化特性Ｌｏ１，Ｌｓ１が重ね合わされると、第３図（ｃ）に示すように、反射係数振幅値ρの時間変化特性Ｌｏ１，Ｌｓ１の分岐点Ｐ１を客観的に精度高く視認することができる。なお、この分岐点Ｐ１は、コネクタ２１の開放端であってコネクタ２２の短絡端の位置に対応する。したがって、第２３図に示したような時間変化特性のふらつきによる測定者の測定誤差をなくすことができる。
その後、変換アダプタ４のコネクタ受け部４ｂにはケーブルアセンブリ３０が接続され、かつケーブルアセンブリ３０の遠端側にコネクタ２１が接続され、この状態で、第５図（ａ）に示すように、反射係数振幅値ρの時間変化特性Ｌｏ２が計測され、記録部５に記録される。さらに、コネクタ２１をコネクタ２２に代えて接続し、変換アダプタ４のコネクタ受け部４ｂに、ケーブルアセンブリ３０が接続され、かつケーブルアセンブリ３０の遠端部にコネクタ２２が接続された状態にし、反射係数振幅値ρの時間変化特性Ｌｓ２が記録部５に記録される。表示処理部６は、反射係数振幅値ρの時間変化特性Ｌｏ２，Ｌｓ２を重ね合わせて表示部７に表示出力する処理を行う。
反射係数振幅値ρの時間変化特性Ｌｏ２，Ｌｓ２が重ね合わせられると、反射係数振幅値ρの時間変化特性Ｌｏ１，Ｌｓ１の分岐点Ｐ１が時間の増大方向にシフトした特性を示し、コネクタ２１，２２のみを接続したときと同様に分岐点Ｐ２が形成される。この分岐点は、コネクタ２１の開放端であってコネクタ２２の短絡端の位置に対応する。この分岐点Ｐ２も、時間の経過方向に向かって大きく分岐しているので、分岐点Ｐ２を客観的に精度高く視認することができ、時間変化特性のふらつきによる測定者の測定誤差をなくすことができる。
ここで、分岐点Ｐ１の時間ｔ１と分岐点Ｐ２の時間ｔ２との時間差の２分の１が、ケーブルアセンブリの伝搬遅延時間Ｔｄである。この時間差を２分の１にするのは、高周波信号が往復する時間だからである。
第６図に示すように、変換アダプタ４自体の伝搬遅延時間Ｔ１は同じであり、コネクタ２１あるいはコネクタ２２自体の伝搬遅延時間Ｔ２も同じであるため、分岐点Ｐ１，Ｐ２に対応する位置Ｐ３，Ｐ４間の伝搬遅延時間Ｔ３は、ケーブルアセンブリ３０自体の伝搬遅延時間Ｔｄと同じなる。これによって、上述した時間ｔ１と時間ｔ２との時間差の２分の１を求めることによって、ケーブルアセンブリ３０の伝搬遅延時間Ｔｄを求めることができる。
ここで、第７図に示したフローチャートをもとに、測定装置１０による伝搬遅延時間の測定処理手順について説明する。まず、制御部Ｃは、入力部８からの計測指示があったか否かを判断する（ステップＳ１０１）。計測指示がない場合（ステップＳ１０１，ＮＯ）、この判断処理を繰り返し、計測指示があった場合（ステップＳ１０１，ＹＥＳ）、信号発生部１から高周波信号を発生させる（ステップＳ１０２）。その後、計測部２は、信号発生部１からの入射波と変換アダプタ４側からの反射波とをもとに反射係数振幅値ρを計測し（ステップＳ１０３）、その時間変化特性を記録部５に記録する（ステップＳ１０４）。そして、この時間変化特性の記録が終了すると、信号発生部１からの高周波信号発生を停止させる（ステップＳ１０５）。
その後、上述した反射係数振幅値の時間変化特性を２回計測したか否かを図示しないカウンタをもとに判断する（ステップＳ１０６）。１回の計測である場合（ステップＳ１０６，ＮＯ）には、ステップＳ１０１に移行し、上述した処理を繰り返す。
一方、２回の計測である場合（ステップＳ１０６，ＹＥＳ）には、カウンタの値をクリアにし（ステップＳ１０７）、表示処理部６は、記録部５に記憶されている２つの反射係数振幅値の時間変化特性を重ね合わせて表示部７に表示出力する処理を行う（ステップＳ１０８）。ここで、表示処理部６は、２つの反射係数振幅値の時間変化特性の分岐点を一層視認し易くするために、各反射係数振幅値の時間変化特性を異なる色で表示する処理を行うようにすることが好ましい。その後、制御部Ｃは、入力部８から終了指示を受けたか否かを判断し（ステップＳ１０９）、終了指示がない場合（ステップＳ１０９，ＮＯ）には、ステップＳ１０１に移行し、上述した処理を繰り返し、終了指示があった場合（ステップＳ１０９，ＹＥＳ）には、本処理を終了する。
この処理によって、反射係数振幅値の時間変化特性Ｌｏ１，Ｌｓ１が重ね合わせ表示されて分岐点Ｐ１の時間ｔ１が得られ、反射係数振幅値の時間変化特性Ｌｏ２，Ｌｓ２が重ね合わせ表示されて分岐点Ｐ１の時間ｔ２が得られ、その後、この時間ｔ１，ｔ２の時間差の２分の１を計算することによってケーブルアセンブリの伝搬遅延時間が得られることになる。
ところで、これまで説明した実施の形態では、反射係数振幅値の時間変化特性Ｌｏ１，Ｌｓ１の重ね合わせ表示と反射係数振幅値の時間変化特性Ｌｏ２，Ｌｓ２の重ね合わせ表示とを別に行っていたが、第８図に示すように、反射係数振幅値の時間変化特性Ｌｏ１，Ｌｓ１，Ｌｏ２，Ｌｓ２をすべて重ね合わせ表示し、この重ね合わせ表示された表示画面から同時に分岐点Ｐ１，Ｐ２の時間ｔ１，ｔ２を得るようにしてもよい。
ここで、第９図に示すフローチャートを参照して、４つの反射係数振幅値の時間変化特性Ｌｏ１，Ｌｓ１，Ｌｏ２，Ｌｓ２を同時に重ね合わせ表示する場合における測定装置の処理手順について説明する。
まず、ステップＳ１０１〜Ｓ１０５と同様にして、１つの反射係数振幅値の時間変化特性を計測して記録部５に記録させる（ステップＳ２０１〜Ｓ２０５）。その後、制御部Ｃは、この一連の処理を４回繰り返したか否かを判断する（ステップＳ２０６）。この場合、一連の処理が４回繰り返されることによって、４つの反射係数振幅値の時間変化特性Ｌｏ１，Ｌｓ１，Ｌｏ２，Ｌｓ２が記録部５に記録されることになる。
一連の処理が４回繰り返されなかった場合（ステップＳ２０６，ＮＯ）には、ステップＳ２０１に移行して上述した反射係数振幅値の時間変化特性の計測と記録とを行い、一連の処理が４回繰り返された場合（ステップＳ２０６，ＹＥＳ）には、表示処理部６が、４つの反射係数振幅値の時間変化特性Ｌｏ１，Ｌｓ１，Ｌｏ２，Ｌｓ２のすべてを重ね合わせ表示する処理を行って表示部７に表示出力する（ステップＳ２０７）。この重ね合わされた反射係数振幅値の時間変化特性から２つの分岐点Ｐ１，Ｐ２の時間ｔ１，ｔ２を読み取り、その時間差の２分の１を求めてケーブルアセンブリの伝搬遅延時間Ｔｄを得ることができる。その後、制御部Ｃは、入力部８からの終了指示を受けたか否かを判断し（ステップＳ２０８）、終了指示を受けていない場合（ステップＳ２０８，ＮＯ）には、ステップＳ２０１に移行し、つぎの信号線あるいは他のケーブルアセンブリの信号線の伝搬遅延時間の測定処理を繰り返し行い、終了指示を受けた場合（ステップＳ２０８，ＹＥＳ）には、本処理を終了する。
ここで、上述したケーブルアセンブリの伝搬遅延時間測定の測定結果について説明する。この測定は、同一の同軸ケーブルアセンブリを上述した実施の形態による測定と従来のオープン法およびショート法による測定とを２人の測定者Ａ，Ｂによって行った。なお、この同軸ケーブルアセンブリは、ピン数が１０本であり、１本の信号線毎に測定が行われた。
従来のオープン法を用いた場合における測定結果は、第１０図に示すとおりである。従来のオープン法を用いた場合、測定者Ａ，Ｂの測定値の差の２乗平均は、７２（ｐｓ／ｍ）であった。また、従来のショート法を用いた場合における測定者Ａ，Ｂの測定値の差の２乗平均は、８０（ｐｓ／ｍ）であった。これに対し、この発明の実施の形態による測定方法を用いた場合における測定結果は、第１図に示すとおりであり、測定者Ａ，Ｂの測定値の差の２乗平均は、１５（ｐｓ／ｍ）であった。この結果、この実施の形態で説明した測定方法を用いれば、測定者間の測定誤差を極端に減少することができることになる。
ところで、上述した実施の形態では、ケーブルアセンブリ３０の両端のオス／メス形状を考慮する必要がある。第１２図に示すように、ケーブルアセンブリ３０の一端がメスであり、他端がオスである場合、コネクタ２１，２２に対応するコネクタは、２つのコネクタ４１，４２を用意すればよい。なお、第１２図では、変換ケーブルのコネクタ受け部がオス形状となっている。この場合、２つのコネクタ４１，４２自体の伝搬遅延時間は同じに設定しておく必要がある。２つのコネクタ４１，４２のうちコネクタ４１は、両端が開放端となっており、一端がメス形状であり、他端がオス形状をなし、コネクタ４２は、一端が短絡端となっており、短絡端側がオス形状で、開放端側がメス形状となっている。このコネクタ４１，４２を用いた計測を行う場合、コネクタ４１，４２をそれぞれコネクタ受け部４ｂに接続した状態の反射係数振幅値の時間変化特性Ｌｏ１，Ｌｓ１を求め、またコネクタ４１，４２をそれぞれケーブルアセンブリ３０の遠端側に接続した状態の反射係数振幅値の時間変化特性Ｌｏ２，Ｌｓ２を求めることによって、実現できる。これによれば、伝搬遅延時間を同一とした４つのコネクタを用意せずに、２つのコネクタ４１，４２のみで全ての計測を行うことができる。
一方、第１３図に示すように、ケーブルアセンブリ３０の両端がともにメス形状である場合、コネクタ４１，４２を用いることができるが、コネクタ４２は、コネクタ受け部４ｂに直接接続した場合のみしか用いることができず、ケーブルアセンブリ３０の遠端側において短絡させるために、一端がメス形状で短絡され、他端がオス形状で開放されたコネクタ４３を用意する必要がある。すなわち、３つのコネクタ４１〜４３を用意し、これら全ての伝搬遅延時間を同じにしておく必要がある。
ここで、第１２図および第１３図に示したケーブルアセンブリの両端は、オス／メス形状が異なる場合と同じ場合を示し、同じ種類のコネクタ形状であったが、両端が異なる種類のコネクタ形状であるケーブルアセンブリの場合には、ケーブルアセンブリの両端のコネクタ形状を、その両端に備えた変換コネクタを用いることによって、測定を行うことができる。
たとえば、第１４図に示すように、一端がメス形状でコネクタ受け部４ｂとは異なる種類のコネクタ形状と、他端がオス形状でコネクタ受け部４ｂと同じ種類のコネクタ形状とを有したケーブルアセンブリ３１の伝搬遅延時間を計測する場合を考える。この場合、両端が開放され、一端がメス形状でコネクタ受け部４ｂと同じ種類のコネクタ形状をもち、他端がオス形状でコネクタ受け部４ｂと異なる種類のコネクタ形状をもたせたコネクタ４４と、一端が短絡され、短絡された一端がオス形状でコネクタ受け部４ｂと異なる種類のコネクタ形状をもち、他端がメス形状でコネクタ受け部４ｂと同じ種類のコネクタ形状をもたせたコネクタ４５とを用意することによって、ケーブルアセンブリ３１の伝搬遅延時間を測定することができる。
また、両端が異なるコネクタ形状をもつケーブルアセンブリの伝搬遅延時間測定は、第１５図に示すように、変換アダプタ５４に、ケーブルアセンブリ３２の両端のコネクタ種類に対応した２つのコネクタ受け部５４ａ，５４ｂを設けることによっても実現できる。
たとえば、ケーブルアセンブリ３２の両端がメス形状である場合、少なくとも一端がコネクタ受け部５４ｂに対応したオス形状をもち、他端が開放されたコネクタ５１と、少なくとも一端がコネクタ受け部５４ｂに対応したオス形状をもち、他端が短絡されたコネクタ５２とを用意すればよい。なお、変換アダプタ５４は、コネクタ受け部５４ａ，５４ｂに対する伝搬遅延時間が同じになるように、導電パターンやワイヤなどによって電気長を調整する必要がある。第１５図では、ワイヤＬ１，Ｌ２によって電気長を調整している。
この変換アダプタ５４を用いて伝搬遅延時間の測定を行う場合、まず、コネクタ５１，５２をコネクタ受け部５４ｂに順次接続して、反射係数振幅値の時間変化特性Ｌｏ１，Ｌｓ１を測定し、その後、ケーブルアセンブリ３２の一端をコネクタ受け部５４ａに接続し、かつコネクタ５１，５２をケーブルアセンブリ３２の他端に順次接続して、反射係数振幅値の時間変化特性Ｌｏ２，Ｌｓ２を測定すればよい。
なお、上述した第１の実施の形態では、コネクタの複数のピンに対する短絡処理について特に言及していなかったが、この短絡は短絡ピンなどによって短絡するようにしている。
この第１の実施の形態では、伝搬遅延時間が同じコネクタを用い、開放したときと短絡したときのコネクタ自体の反射係数振幅値の時間変化特性Ｌｏ１，Ｌｓ１を計測し、重ね合わせ表示してその分岐点Ｐ１の時間ｔ１を読み取り、ケーブルアセンブリと、その遠端側に、開放または短絡したコネクタを接続し、ケーブルアセンブリおよびコネクタの反射係数振幅値の時間変化特性Ｌｏ２，Ｌｓ２を計測し、重ね合わせ表示してその分岐点Ｐ１の時間ｔ２を読み取り、この時間差の２分の１をケーブルアセンブリの伝搬遅延時間として求めるようにしているので、測定者は分岐点Ｐ１，Ｐ２を容易に読み取ることができ、測定者間の読み取り誤差が小さくなり、ケーブルアセンブリ自体の伝搬遅延時間を客観的に精度良く求めることができる。
つぎに、この発明の第２の実施の形態について説明する。上述した第１の実施の形態では、測定者が表示画面上の分岐点Ｐ１，Ｐ２の時間ｔ１，ｔ２を目視で読み取るものであったが、この第２の実施の形態では、分岐点Ｐ１，Ｐ２を指示するのみで、分岐点Ｐ１，Ｐ２の時間ｔ１，ｔ２あるいは時間ｔ１，ｔ２間の時間差を求めることができるようにしている。
第１６図は、この第２の実施の形態である測定装置の構成を示すブロック図である。この測定装置６０は、測定装置１０の構成に、伝搬遅延時間計算部６１をさらに設けている。その他の構成は、測定装置１０と同じであり、同一構成部分には同一符号を付している。
伝搬遅延時間計算部６１は、表示部７上に反射係数振幅値の時間変化特性が重ね合わせ表示されたときに、分岐点Ｐ１，Ｐ２をポインタ等によって指示すると、この指示された位置に対応する時間ｔ１，ｔ２を求め、この時間差の２分の１を伝搬遅延時間Ｔｄとして求め、表示部７の表示領域７ａに、求めた伝搬遅延時間Ｔｄを表示するようにしている。
ここで、第１７図に示すフローチャートを参照して、この第２の実施の形態の測定装置による測定処理手順について説明する。まず、ステップＳ１０１〜Ｓ１０５と同様にして、１つの反射係数振幅値の時間変化特性を計測して記録部５に記録させる（ステップＳ３０１〜Ｓ３０５）。その後、制御部Ｃは、この一連の処理を２回繰り返したか否かを判断する（ステップＳ３０６）。
この一連の処理が１回のみである場合（ステップＳ３０６，ＮＯ）には、ステップＳ３０１に移行して上述した一連の処理を繰り返し、この一連の処理が２回繰り返された場合（ステップＳ３０６，ＹＥＳ）には、さらにカウンタの計測回数をクリアし（ステップＳ３０７）には、表示処理部６が、２つの反射係数振幅値の時間変化特性Ｌｏ１，Ｌｓ１を重ね合わせ表示する処理を行って表示部７に表示出力する（ステップＳ３０８）。その後、測定者が分岐点Ｐ１を表示画面上で認識し、入力部８から、ポインタを分岐点Ｐ１に移動させ、指示確定することによって、この分岐点Ｐ１の時間ｔ１が記録部５に記録される（ステップＳ３０９）。
その後、分岐点の時間が２回記録されたか否かを判断し（ステップＳ３１０）、２回記録されていない場合（ステップＳ３１０，ＮＯ）には、ステップＳ３０１に移行して、上述した処理を繰り返し、分岐点Ｐ２の時間ｔ２を記録部５に記録する処理を行う。
一方、分岐点の時間が２回記録された場合（ステップＳ３１０，ＹＥＳ）には、記録部５に記録されている時間ｔ１．ｔ２の時間差の２分の１の時間を求め、伝搬遅延時間Ｔｄとして表示部７の表示領域７ａに表示出力する（ステップＳ３１１）。その後、入力部８から、終了指示があったか否かを判断し（ステップＳ３１２）、終了指示がない場合（ステップＳ３１２，ＮＯ）は、つぎの信号線あるいは他のケーブルアセンブリの伝搬遅延時間の測定を続けて行い、終了指示があった場合（ステップＳ３１２，ＹＥＳ）には、本処理を終了する。
なお、４つの反射係数振幅値の時間変化特性Ｌｏ１，Ｌｓ１，Ｌｏ２，Ｌｓ２のすべてを同時に重ね合わせ表示する場合には、ポインタを用いて２つの分岐点Ｐ１，Ｐ２を指示することによって伝搬遅延時間が求められ、表示出力される。
この第２の実施の形態では、表示画面上の分岐点Ｐ１，Ｐ２を指示するのみで、自動的に伝搬遅延時間を得ることができるので、一層容易にかつ客観的に精度の良い伝搬遅延時間測定を行うことができる。
つぎに、この発明の第３の実施の形態について説明する。上述した第２の実施の形態では、測定者が表示画面上の分岐点Ｐ１，Ｐ２をポインタで指示するのみで、伝搬遅延時間を自動的に求め、表示出力するものであったが、この第３の実施の形態では、分岐点Ｐ１，Ｐ２を自動的に求め、さらに伝搬遅延時間を自動的に求めて、表示出力するようにしている。
第１８図は、この第３の実施の形態である測定装置の構成を示すブロック図である。この測定装置７０は、測定装置２０の構成に、分岐点検出部７１をさらに設けている。その他の構成は、測定装置６０と同じであり、同一構成部分には同一符号を付している。
分岐点検出部７１は、２つの反射係数振幅値の時間変化特性の分岐点Ｐ１，Ｐ１を求める演算処理を行う。この求められた分岐点Ｐ１，Ｐ２の位置は伝搬遅延時間計算部６１に入力され、伝搬遅延時間計算部６１は、それぞれ分岐点Ｐ１，Ｐ２に対応する時間ｔ１，ｔ２を求め、この時間差の２分の１を伝搬遅延時間Ｔｄとして求め、表示部７の表示領域７ａに、求めた伝搬遅延時間Ｔｄを表示するようにしている。
ここで、第１９図に示すフローチャートを参照して、この第３の実施の形態の測定装置による測定処理手順について説明する。まず、ステップＳ３０１〜Ｓ３０５と同様にして、１つの反射係数振幅値の時間変化特性を計測して記録部５に記録させる（ステップＳ４０１〜Ｓ４０５）。その後、制御部Ｃは、この一連の処理を２回繰り返したか否かを判断する（ステップＳ４０６）。
この一連の処理が１回のみである場合（ステップＳ４０６，ＮＯ）には、ステップＳ４０１に移行して上述した一連の処理を繰り返し、この一連の処理が２回繰り返された場合（ステップＳ４０６，ＹＥＳ）には、さらにカウンタの計測回数をクリアし（ステップＳ４０７）には、表示処理部６が、２つの反射係数振幅値の時間変化特性Ｌｏ１，Ｌｓ１を重ね合わせ表示する処理を行って表示部７に表示出力する（ステップＳ４０８）。その後、分岐点検出部７１は、重ね合わされた２つの反射係数振幅値の時間変化特性Ｌｏ１，Ｌｓ１の分岐点Ｐ１の位置を求める演算処理を行って（ステップＳ４０９）、この分岐点Ｐ１の位置を記録部５に記録する（ステップＳ４１０）。
その後、分岐点の位置が２回記録されたか否かを判断し（ステップＳ４１１）、２回記録されていない場合（ステップＳ４１１，ＮＯ）には、ステップＳ４０１に移行して、上述した処理を繰り返し、分岐点Ｐ２の位置を記録部５に記録する処理を行う。
一方、分岐点の位置が２回記録された場合（ステップＳ４１１，ＹＥＳ）には、記録部５に記録されている位置に対応する時間ｔ１．ｔ２を求め、この時間差の２分の１の時間を求め、伝搬遅延時間Ｔｄとして表示部７の表示領域７ａに表示出力する（ステップＳ４１２）。その後、入力部８から、終了指示があったか否かを判断し（ステップＳ４１３）、終了指示がない場合（ステップＳ４１３，ＮＯ）は、つぎの信号線あるいは他のケーブルアセンブリの伝搬遅延時間の測定を続けて行い、終了指示があった場合（ステップＳ４１３，ＹＥＳ）には、本処理を終了する。
なお、４つの反射係数振幅値の時間変化特性Ｌｏ１，Ｌｓ１，Ｌｏ２，Ｌｓ２のすべてを取得してから、分岐点Ｐ１，Ｐ２の位置を同時に求めるようにしてもよい。
また、表示処理部６による２つあるいは４つの反射係数振幅値の時間変化特性の表示出力（ステップＳ４０８）は行わなくてもよい。
この第３の実施の形態では、表示画面上の分岐点Ｐ１，Ｐ２が自動的に演算され、この演算された分岐点Ｐ１，Ｐ２の位置に対応する時間ｔ１．ｔ２をもとに自動的に伝搬遅延時間を得ることができるので、一層容易にかつ客観的に精度の良い伝搬遅延時間測定を行うことができる。
なお、上述した第１〜第３の実施の形態で説明した被測定対象のケーブルアセンブリは、数１００Ｍｂｐｓ〜数１０Ｇｂｐｓの高速パラレル伝送用あるいは高速シリアル伝送用に用いられるが、その伝送方式が不平衡伝送であっても平衡伝送であってもよいし、ＴＭＤＳ方式、ＬＶＤＳ方式やＧＶＩＦ方式などの各種の伝送方式用のケーブルアセンブリであってもよい。
また、上述した第１〜第３の実施の形態では、表示部７に表示出力するようにしていたが、これに限らず、計測結果が可視表示されればよく、たとえば出力部９などによって印刷出力するようにしてもよい。
さらに、図面中で示した各装置の各構成要素は機能概念的なものであり、必ずしも物理的に図示したように構成されていることを必要としない。すなわち、各装置の分散・統合の具体的形態は図面中のものに限られず、その全部または一部を、各種の負荷や使用状況などに応じて、任意の単位で機能的または物理的に分散・統合して構成することができる。
なお、各装置において行われる各処理機能は、その全部または任意の一部が、制御部Ｃに対応する図示しないＣＰＵおよびこのＣＰＵで解析実行されるプログラムによって実現され、あるいは、ワイヤードロジックによるハードウェアとして実現され得る。
ここで、上述した第１〜第３の実施の形態で説明した測定装置の測定処理機能あるいは測定処理方法は、測定処理プログラムを用いてソフトウェアで実現することができる。
すなわち、この実施の形態で説明した電気特性測定方法は、予め用意されたプログラムをパーソナル・コンピュータやワークステーションなどのコンピュータで実行することによって実現することができる。上述した制御部Ｃは、図示しないＣＰＵおよびＲＡＭによって実現され、上述したプログラムなどがＲＡＭに記憶され、ＣＰＵによって実行される。
このプログラムは、インターネットなどのネットワークを介して配布することができる。また、このプログラムは、ハードディスク、フレキシブルディスク（ＦＤ）、ＣＤ−ＲＯＭ、ＭＯ、ＤＶＤなどのコンピュータで読み取り可能な記録媒体に記録され、コンピュータによって記録媒体から読み出されることによって実行することもできる。
以上説明したように、この発明によれば、一端が開放した第１コネクタと一端が短絡された第２コネクタの各反射係数振幅値の時間変化特性を重ね合わせたときの分岐点と、ケーブルアセンブリおよびその遠端側に接続された第１コネクタとケーブルアセンブリおよびその遠端側に接続された第２コネクタとの各反射係数振幅値の時間反射特性を重ね合わせたときの分岐点との間の時間差の２分の１をケーブルアセンブリの伝搬遅延時間として求めているので、明瞭な分岐点の視認が可能となり、測定者による測定誤差を小さくでき、精度の高いケーブルアセンブリの伝搬遅延時間を測定することができるという効果を奏する。
また、この発明によれば、指示手段が表示画面上の分岐点を指示するのみで、伝搬遅延時間算出手段が、伝搬遅延時間を算出するようにしているので、測定者にかかる負担を軽減できるとともに、測定誤差を一層小さくすることができるという効果を奏する。
また、この発明によれば、重ね合わせる２つの反射係数振幅値の時間変化特性を異なる色で表示出力するようにしているので、分岐点の視認が一層容易になり、測定者による測定誤差を小さくすることができるという効果を奏する。
また、この発明によれば、重ね合わせる２つの反射係数振幅値の時間変化特性の分岐点が自動検出され、この検出された分岐点をもとに伝搬遅延時間を演算して出力するようにしているので、測定者による測定誤差をなくすことができるという効果を奏する。
また、ケーブルアセンブリの一端と他端とのコネクタ形状が異なる場合、前記第１コネクタおよび前記第２コネクタを、前記ケーブルアセンブリの一端と他端とのコネクタ形状にそれぞれ合致したコネクタ形状を有する変換コネクタとし、あるいは、接続部に、異なるコネクタ形状のコネクタを接続可能とする複数のコネクタ受け部を備えるようにしているので、ケーブルアセンブリの両端のコネクタ形状が異なる場合であっても、作業性良く伝搬遅延時間を測定することができるという効果を奏する。
【産業上の利用可能性】  以上のように、この発明に係るケーブルアセンブリの電気特性測定装置、ケーブルアセンブリの電気特性測定プログラムおよびケーブルアセンブリの電気特性測定方法は、測定者によるケーブルアセンブリの伝搬遅延時間の測定誤差を極力小さくし、精度の高い伝搬遅延時間を測定できるので、数１００Ｍｂｐｓ〜数Ｇｂｐｓの高速パラレル伝送あるいは高速シリアル伝送用に用いられるケーブルアセンブリの伝搬遅延時間を測定する測定装置に適している。
【図１】
2004074857.tif 000003
【図２】
2004074857.tif 000004
【図３】
2004074857.tif 000005
【図４】
2004074857.tif 000006
【図５】
2004074857.tif 000007
【図６】
2004074857.tif 000008
【図７】
2004074857.tif 000009
【図８】
2004074857.tif 000010
【図９】
2004074857.tif 000011
【図１０】
2004074857.tif 000012
【図１１】
2004074857.tif 000013
【図１２】
2004074857.tif 000014
【図１３】
2004074857.tif 000015
【図１４】
2004074857.tif 000016
【図１５】
2004074857.tif 000017
【図１６】
2004074857.tif 000018
【図１７】
2004074857.tif 000019
【図１８】
2004074857.tif 000020
【図１９】
2004074857.tif 000021
【図２０】
2004074857.tif 000022
【図２１】
2004074857.tif 000023
【図２２】
2004074857.tif 000024
【図２３】
2004074857.tif 000025
【手続補正書】
【提出日】平成17年3月2日(2005.3.2)
【手続補正１】
【補正対象書類名】明細書
【補正対象項目名】全文
【補正方法】変更
【補正の内容】
【書類名】      明細書
【特許請求の範囲】
【請求項１】  接続部を介してケーブルアセンブリを接続し、所定の周波数信号を前記ケーブルアセンブリ側に出力し、該所定の周波数信号の反射係数振幅値を測定し、該反射係数振幅値の時間変化特性をもとに該ケーブルアセンブリの伝搬遅延時間を測定するケーブルアセンブリの電気特性測定装置であって、
両端が開放された第１コネクタが前記接続部に接続された第１接続状態と、一端が短絡され、かつ前記第１コネクタ自体の伝搬遅延時間と同じ伝搬遅延時間を有する第２コネクタの他端が前記接続部に接続された第２接続状態と、前記ケーブルアセンブリの一端が前記接続部に接続され該ケーブルアセンブルの他端が前記第１コネクタに接続された第３接続状態と、前記ケーブルアセンブリの一端が前記接続部に接続され該ケーブルアセンブリの他端が前記第２コネクタの他端に接続された第４接続状態とにおける各反射係数振幅値の時間変化特性を計測する反射係数計測手段と、
前記計測された第１接続状態と第２接続状態とにおける各反射係数振幅値の時間変化特性を重ね合わせて可視出力し、または前記計測された第３接続状態と第４接続状態とにおける各反射係数振幅値の時間変化特性を重ね合わせて可視出力する処理を行う出力処理手段と、
を備え、前記第１接続状態と前記第２接続状態とにおける各反射係数振幅値の時間変化特性の分岐点と、前記第４接続状態と前記第４接続状態とにおける各反射係数振幅値の時間変化特性の分岐点との時間差の２分の１を前記伝搬遅延時間として求めることを特徴とするケーブルアセンブリの電気特性測定装置。
【請求項２】  接続部を介してケーブルアセンブリを接続し、所定の周波数信号を前記ケーブルアセンブリ側に出力し、該所定の周波数信号の反射係数振幅値を測定し、該反射係数振幅値の時間変化特性をもとに該ケーブルアセンブリの信号伝搬遅延遅延時間を測定するケーブルアセンブリの電気特性測定装置であって、
両端が開放された第１コネクタが前記接続部に接続された第１接続状態と、一端が短絡され、かつ前記第１コネクタ自体の信号伝搬遅延時間と同じ信号伝搬遅延時間を有する第２コネクタの他端が前記接続部に接続された第２接続状態と、前記ケーブルアセンブリの一端が前記接続部に接続され該ケーブルアセンブルの他端が前記第１コネクタに接続された第３接続状態と、前記ケーブルアセンブリの一端が前記接続部に接続され該ケーブルアセンブリの他端が前記第２コネクタの他端に接続された第４接続状態とにおける各反射係数振幅値の時間変化特性を計測する反射係数計測手段と、
前記計測された第１接続状態と第２接続状態とにおける各反射係数振幅値の時間変化特性を重ね合わせた場合における分岐点と、前記計測された第３接続状態と第４接続状態とにおける各反射係数振幅値の時間変化特性を重ね合わせた場合における分岐点とを求め、各分岐点の時間差の２分の１を前記信号伝搬遅延時間差として出力する時間差演算手段と、
を備えたことを特徴とするケーブルアセンブリの電気特性測定装置。
【請求項３】  接続部を介してケーブルアセンブリが接続され、所定の周波数信号が前記ケーブルアセンブリ側に出力され、該所定の周波数信号の反射係数振幅値を測定し、該反射係数振幅値の時間変化特性をもとに該ケーブルアセンブリの信号伝搬遅延遅延時間を測定するケーブルアセンブリの電気特性測定プログラムであって、
両端が開放された第１コネクタが前記接続部に接続された第１接続状態と、一端が短絡され、かつ前記第１コネクタ自体の信号伝搬遅延時間と同じ信号伝搬遅延時間を有する第２コネクタの他端が前記接続部に接続された第２接続状態とにおける各反射係数振幅値の時間変化特性を計測する第１測定処理手順と、
前記第１測定処理手順によって計測された各反射係数振幅値の時間変化特性を重ね合わせて可視出力する第１出力処理手順と、
前記ケーブルアセンブリの一端が前記接続部に接続され該ケーブルアセンブルの他端が前記第１コネクタに接続された第３接続状態と、前記ケーブルアセンブリの一端が前記接続部に接続され該ケーブルアセンブリの他端が前記第２コネクタの他端に接続された第４接続状態とにおける各反射係数振幅値の時間変化特性を計測する第２測定処理手順と、
前記第２測定処理手順によって計測された各反射係数振幅値の時間変化特性を重ね合わせて可視出力する第２出力処理手順と、
をコンピュータに実行させるケーブルアセンブリの電気特性測定プログラム。
【請求項４】  接続部を介してケーブルアセンブリが接続され、所定の周波数信号が前記ケーブルアセンブリ側に出力され、該所定の周波数信号の反射係数振幅値を測定し、該反射係数振幅値の時間変化特性をもとに該ケーブルアセンブリの信号伝搬遅延遅延時間を測定するケーブルアセンブリの電気特性測定プログラムであって、
両端が開放された第１コネクタが前記接続部に接続された第１接続状態と、一端が短絡され、かつ前記第１コネクタ自体の信号伝搬遅延時間と同じ信号伝搬遅延時間を有する第２コネクタの他端が前記接続部に接続された第２接続状態と、前記ケーブルアセンブリの一端が前記接続部に接続され該ケーブルアセンブルの他端が前記第１コネクタに接続された第３接続状態と、前記ケーブルアセンブリの一端が前記接続部に接続され該ケーブルアセンブリの他端が前記第２コネクタの他端に接続された第４接続状態とにおける各反射係数振幅値の時間変化特性を計測する反射係数測定処理手順と、
前記反射係数測定処理手順によって計測された各反射係数振幅値の時間変化特性を重ね合わせて可視出力する出力処理手順と、
をコンピュータに実行させるケーブルアセンブリの電気特性測定プログラム。
【請求項５】  接続部を介してケーブルアセンブリが接続され、所定の周波数信号が前記ケーブルアセンブリ側に出力され、該所定の周波数信号の反射係数振幅値を測定し、該反射係数振幅値の時間変化特性をもとに該ケーブルアセンブリの信号伝搬遅延遅延時間を測定するケーブルアセンブリの電気特性測定プログラムであって、
両端が開放された第１コネクタが前記接続部に接続された第１接続状態と、一端が短絡され、かつ前記第１コネクタ自体の信号伝搬遅延時間と同じ信号伝搬遅延時間を有する第２コネクタの他端が前記接続部に接続された第２接続状態と、前記ケーブルアセンブリの一端が前記接続部に接続され該ケーブルアセンブルの他端が前記第１コネクタに接続された第３接続状態と、前記ケーブルアセンブリの一端が前記接続部に接続され該ケーブルアセンブリの他端が前記第２コネクタの他端に接続された第４接続状態とにおける各反射係数振幅値の時間変化特性を計測する反射係数測定処理手順と、
前記第１接続状態と前記第２接続状態とにおける各反射係数振幅値の時間変化特性の分岐点の位置と、前記第４接続状態と前記第４接続状態とにおける各反射係数振幅値の時間変化特性の分岐点の位置とを求める分岐点検出処理手順と、
前記分岐点間の時間差の２分の１を前記信号伝搬遅延時間として求める時間差演算処理手順と、
をコンピュータに実行させるケーブルアセンブリの電気特性測定プログラム。
【請求項６】  接続部を介してケーブルアセンブリが接続され、所定の周波数信号が前記ケーブルアセンブリ側に出力され、該所定の周波数信号の反射係数振幅値を測定し、該反射係数振幅値の時間変化特性をもとに該ケーブルアセンブリの信号伝搬遅延遅延時間を測定するケーブルアセンブリの電気特性測定方法であって、
両端が開放された第１コネクタが前記接続部に接続された第１接続状態と、一端が短絡され、かつ前記第１コネクタ自体の信号伝搬遅延時間と同じ信号伝搬遅延時間を有する第２コネクタの他端が前記接続部に接続された第２接続状態とにおける各反射係数振幅値の時間変化特性を計測する第１測定処理工程と、
前記第１測定処理手順によって計測された各反射係数振幅値の時間変化特性を重ね合わせて可視出力する第１出力処理工程と、
前記ケーブルアセンブリの一端が前記接続部に接続され該ケーブルアセンブルの他端が前記第１コネクタに接続された第３接続状態と、前記ケーブルアセンブリの一端が前記接続部に接続され該ケーブルアセンブリの他端が前記第２コネクタの他端に接続された第４接続状態とにおける各反射係数振幅値の時間変化特性を計測する第２測定処理工程と、
前記第２測定処理手順によって計測された各反射係数振幅値の時間変化特性を重ね合わせて可視出力する第２出力処理工程と、
を含み、前記第１出力処理工程によって出力された各反射係数振幅値の時間変化特性の分岐点の時間と、前記第２出力処理工程によって出力された各反射係数振幅値の時間変化特性の分岐点の時間との時間差の２分の１を前記信号伝搬遅延時間として求めることを特徴とするケーブルアセンブリの電気特性測定方法。
【請求項７】  接続部を介してケーブルアセンブリが接続され、所定の周波数信号が前記ケーブルアセンブリ側に出力され、該所定の周波数信号の反射係数振幅値を測定し、該反射係数振幅値の時間変化特性をもとに該ケーブルアセンブリの信号伝搬遅延遅延時間を測定するケーブルアセンブリの電気特性測定方法であって、
両端が開放された第１コネクタが前記接続部に接続された第１接続状態と、一端が短絡され、かつ前記第１コネクタ自体の信号伝搬遅延時間と同じ信号伝搬遅延時間を有する第２コネクタの他端が前記接続部に接続された第２接続状態と、前記ケーブルアセンブリの一端が前記接続部に接続され該ケーブルアセンブルの他端が前記第１コネクタに接続された第３接続状態と、前記ケーブルアセンブリの一端が前記接続部に接続され該ケーブルアセンブリの他端が前記第２コネクタの他端に接続された第４接続状態とにおける各反射係数振幅値の時間変化特性を計測する測定処理工程と、
前記測定処理手順によって計測された各反射係数振幅値の時間変化特性を重ね合わせて可視出力する出力処理工程と、
を含み、前記出力処理工程によって出力された前記第１接続状態と前記第２接続状態における各反射係数振幅値の時間変化特性の分岐点の時間と、前記第３接続状態と前記第４接続状態とにおける各反射係数振幅値の時間変化特性の分岐点の時間との時間差の２分の１を前記信号伝搬遅延時間として求めることを特徴とするケーブルアセンブリの電気特性測定方法。
【発明の詳細な説明】
【０００１】
【技術分野】
この発明は、ノートパソコンなどに用いられるケーブルアセンブリのスキューが所定値以内であるか否かを判断するための該ケーブルアセンブリの伝搬遅延時間を測定するケーブルアセンブリの電気特性測定装置、ケーブルアセンブリの電気特性測定プログラムおよびケーブルアセンブリの電気特性測定方法に関し、特に、伝搬遅延時間を精度高く測定することができるケーブルアセンブリの電気特性測定装置、ケーブルアセンブリの電気特性測定プログラムおよびケーブルアセンブリの電気特性測定方法に関するものである。
【０００２】
【背景技術】
近年、ノート型パソコンなどでは、軽量小型化が推進されているとともに、高速高解像度化が推進され、これに伴って高速伝送が可能なケーブルアセンブリが組み込まれるようになっている。ケーブルの信号伝送速度の高速化に伴って、ケーブルアセンブリに許容される伝搬遅延時間差であるスキューの範囲が狭くなっている。これは、伝搬遅延時間差が生じると、信号間の同期がずれ、信号誤りが発生し易くなるからであり、高速伝送である場合、特に小さい伝搬遅延時間差が要求される。このため、ケーブルアセンブリは、伝搬遅延時間差が所定範囲内に収まっているか否かの測定を行う必要がある。
【０００３】
第２０図は、従来のケーブルアセンブリの伝搬遅延時間を測定する測定装置１１０を用いて、被測定対象であるケーブルアセンブリ３０の伝搬遅延時間を測定する模式図を示している。第２０図において、測定装置１１０の変換アダプタ１０４には、直接にケーブルアセンブリ３０の近端側３０ａが接続され、他方の遠端側３０ｂは電気的に開放されている。この接続状態で、測定装置１１０側が所定周波数の信号をケーブルアセンブリ３０側に送信すると、インピーダンスの不整合箇所で反射が生じ、その反射波が生じる。そこで、この測定装置１１０では、第２１図に示すように、入射波に対する反射波の比である反射係数の反射係数振幅値ρの時間変化を求め、この時間変化特性から、伝搬遅延時間Ｔｄを求めている。
【０００４】
第２１図で求めた反射係数振幅値ρの時間変化特性では、時間の経過とともに、最初に、反射係数振幅値ρがケーブルアセンブリ３０の近端側３０ａ近傍に対応する点ＰＰ１で急激に大きくなり、その後、開放端となっているケーブルアセンブリ３０の遠端側３０ｂに対応する点ＰＰ２で急激に大きくなっている。この反射係数振幅値ρの時間変化特性は、測定装置１１０の表示部１０７に表示出力される。測定者は、この表示された時間変化特性の急激に変化する２つの点ＰＰ１，ＰＰ２間の時間差を目視で計測し、この時間差の２分の１を伝搬遅延時間として求めている。この測定法は、ケーブルアセンブリ３０の遠端側３０ｂを開放しているので、オープン法と呼ばれる。
【０００５】
一方、ケーブルアセンブリ３０の遠端側３０ｂを短絡して伝搬遅延時間を求めるショート法は、第２２図に示すように、第２０図に示した接続状態のケーブルアセンブリ３０の遠端側３０ａを短絡ピン１３０で短絡して伝搬遅延時間を求めている。第２３図は、ショート法によって得られた反射係数振幅値ρの時間変化特性を示している。第２３図に示すように、ケーブルアセンブリ３０の遠端側３０ａに対応する点ＰＰ２で、反射係数振幅値ρが急激に小さくなっている点がオープン法で得られた反射係数振幅値ρの時間変化特性と異なっている。ただし、オープン法と同様に、このショート法でも、反射係数振幅値ρが極端に変化する点ＰＰ１，ＰＰ２間の時間差の２分の１を伝搬遅延時間Ｔｄとして求めている。
【０００６】
しかしながら、オープン法およびショート法のいずれを採用しても、点ＰＰ１，ＰＰ２近傍では、これらの拡大図Ｅ１，Ｅ２に示すように、反射係数振幅値ρが大きく波打った特性を有している。このため、測定者は、点ＰＰ１の位置を読み誤る場合があり、精度の高い伝搬遅延時間を測定することができない場合が生ずるという問題点があった。例えば、点ＰＰ１の位置を、ピーク値の点Ｐｔ１として読み取る場合と、点Ｐｔ２として読み取る場合があった。
【０００７】
このことは、測定者による計測誤差が助長され、一層精度の低い伝搬遅延時間の測定が行われることになる。
【０００８】
そこで、この発明は上述した問題点を除去し、測定者による測定誤差を小さくし、客観的に精度の高い伝搬遅延時間の測定を行うことができるケーブルアセンブリの電気特性測定装置、ケーブルアセンブリの電気特性測定プログラムおよびケーブルアセンブリの電気特性測定方法を提供することを目的とする。
【０００９】
【発明の開示】
上述した課題を解決し、目的を達成するため、この発明は、接続部を介してケーブルアセンブリを接続し、所定の周波数信号を前記ケーブルアセンブリ側に出力し、該所定の周波数信号の反射係数振幅値を測定し、該反射係数振幅値の時間変化特性をもとに該ケーブルアセンブリの伝搬遅延時間を測定するケーブルアセンブリの電気特性測定装置であって、両端が開放された第１コネクタが前記接続部に接続された第１接続状態と、一端が短絡され、かつ前記第１コネクタ自体の伝搬遅延時間と同じ伝搬遅延時間を有する第２コネクタの他端が前記接続部に接続された第２接続状態と、前記ケーブルアセンブリの一端が前記接続部に接続され該ケーブルアセンブルの他端が前記第１コネクタに接続された第３接続状態と、前記ケーブルアセンブリの一端が前記接続部に接続され該ケーブルアセンブリの他端が前記第２コネクタの他端に接続された第４接続状態とにおける各反射係数振幅値の時間変化特性を計測する反射係数計測手段と、前記計測された第１接続状態と第２接続状態とにおける各反射係数振幅値の時間変化特性を重ね合わせて可視出力し、または前記計測された第３接続状態と第４接続状態とにおける各反射係数振幅値の時間変化特性を重ね合わせて可視出力する処理を行い、あるいは前記計測された第１〜第４接続状態の各反射係数振幅値の時間変化特性を重ね合わせて可視出力する処理を行う出力処理手段と、を備え、前記第１接続状態と前記第２接続状態とにおける各反射係数振幅値の時間変化特性の分岐点と、前記第４接続状態と前記第４接続状態とにおける各反射係数振幅値の時間変化特性の分岐点との時間差の２分の１を前記伝搬遅延時間として求めることを特徴とする。
【００１０】
この発明によれば、一端が開放した第１コネクタと一端が短絡された第２コネクタの各反射係数振幅値の時間変化特性を重ね合わせたときの分岐点と、ケーブルアセンブリおよびその遠端側に接続された第１コネクタとケーブルアセンブリおよびその遠端側に接続された第２コネクタとの各反射係数振幅値の時間反射特性を重ね合わせたときの分岐点との間の時間差の２分の１をケーブルアセンブリの伝搬遅延時間として求めているので、明瞭な分岐点の視認が可能となり、測定者による測定誤差を小さくでき、精度の高いケーブルアセンブリの伝搬遅延時間を測定することができる。
【００１１】
また、この発明は、２つの前記分岐点を指示する指示手段と、前記指示手段が指示した可視出力画面上の各分岐点の時間差を算出し、さらにこの時間差の２分の１を前記伝搬遅延時間として出力する伝搬遅延時間算出手段と、をさらに備えたことを特徴とする。
この発明によれば、指示手段が可視出力画面上の分岐点を指示するのみで、伝搬遅延時間算出手段が、伝搬遅延時間を算出するようにしているので、測定者にかかる負担を軽減できるとともに、測定誤差を一層小さくすることができる。
【００１２】
また、この発明によれば、前記出力処理手段は、前記第１接続状態の反射係数振幅値の時間変化特性と前記第２接続状態の反射係数振幅値の時間変化特性とを異なる色で可視出力することを特徴とする。
【００１３】
この発明によれば、重ね合わせる２つの反射係数振幅値の時間変化特性を異なる色で可視出力するようにしているので、分岐点の視認が一層容易になり、測定者による測定誤差を小さくすることができる。
【００１４】
また、この発明は、接続部を介してケーブルアセンブリを接続し、所定の周波数信号を前記ケーブルアセンブリ側に出力し、該所定の周波数信号の反射係数振幅値を測定し、該反射係数振幅値の時間変化特性をもとに該ケーブルアセンブリの信号伝搬遅延遅延時間を測定するケーブルアセンブリの電気特性測定装置であって、両端が開放された第１コネクタが前記接続部に接続された第１接続状態と、一端が短絡され、かつ前記第１コネクタ自体の信号伝搬遅延時間と同じ信号伝搬遅延時間を有する第２コネクタの他端が前記接続部に接続された第２接続状態と、前記ケーブルアセンブリの一端が前記接続部に接続され該ケーブルアセンブルの他端が前記第１コネクタに接続された第３接続状態と、前記ケーブルアセンブリの一端が前記接続部に接続され該ケーブルアセンブリの他端が前記第２コネクタの他端に接続された第４接続状態とにおける各反射係数振幅値の時間変化特性を計測する反射係数計測手段と、前記計測された第１接続状態と第２接続状態とにおける各反射係数振幅値の時間変化特性を重ね合わせた場合における分岐点と、前記計測された第３接続状態と第４接続状態とにおける各反射係数振幅値の時間変化特性を重ね合わせた場合における分岐点とを求め、各分岐点の時間差の２分の１を前記信号伝搬遅延時間差として出力する時間差演算手段と、を備えたことを特徴とする。
【００１５】
この発明によれば、重ね合わせる２つの反射係数振幅値の時間変化特性の分岐点が自動検出され、この検出された分岐点をもとに伝搬遅延時間を演算して出力するようにしているので、測定者による測定誤差をなくすことができる。
【００１６】
また、この発明は、前記ケーブルアセンブリの一端と他端とのコネクタ形状が異なる場合、前記第１コネクタおよび前記第２コネクタを、前記ケーブルアセンブリの一端と他端とのコネクタ形状にそれぞれ合致したコネクタ形状を有する変換コネクタとし、あるいは、前記接続部に、異なるコネクタ形状のコネクタを接続可能とする複数のコネクタ受け部を備えるようにしている。
【００１７】
この発明によれば、ケーブルアセンブリの両端のコネクタ形状が異なる場合であっても、作業性良く伝搬遅延時間を測定することができる。
【００１８】
また、この発明は、接続部を介してケーブルアセンブリが接続され、所定の周波数信号が前記ケーブルアセンブリ側に出力され、該所定の周波数信号の反射係数振幅値を測定し、該反射係数振幅値の時間変化特性をもとに該ケーブルアセンブリの信号伝搬遅延遅延時間を測定するケーブルアセンブリの電気特性測定プログラムであって、両端が開放された第１コネクタが前記接続部に接続された第１接続状態と、一端が短絡され、かつ前記第１コネクタ自体の信号伝搬遅延時間と同じ信号伝搬遅延時間を有する第２コネクタの他端が前記接続部に接続された第２接続状態とにおける各反射係数振幅値の時間変化特性を計測する第１測定処理手順と、前記第１測定処理手順によって計測された各反射係数振幅値の時間変化特性を重ね合わせて可視出力する第１出力処理手順と、前記ケーブルアセンブリの一端が前記接続部に接続され該ケーブルアセンブルの他端が前記第１コネクタに接続された第３接続状態と、前記ケーブルアセンブリの一端が前記接続部に接続され該ケーブルアセンブリの他端が前記第２コネクタの他端に接続された第４接続状態とにおける各反射係数振幅値の時間変化特性を計測する第２測定処理手順と、前記第２測定処理手順によって計測された各反射係数振幅値の時間変化特性を重ね合わせて可視出力する第２出力処理手順と、をコンピュータに実行させるケーブルアセンブリの電気特性測定プログラムである。
【００１９】
また、この発明は、接続部を介してケーブルアセンブリが接続され、所定の周波数信号が前記ケーブルアセンブリ側に出力され、該所定の周波数信号の反射係数振幅値を測定し、該反射係数振幅値の時間変化特性をもとに該ケーブルアセンブリの信号伝搬遅延遅延時間を測定するケーブルアセンブリの電気特性測定プログラムであって、両端が開放された第１コネクタが前記接続部に接続された第１接続状態と、一端が短絡され、かつ前記第１コネクタ自体の信号伝搬遅延時間と同じ信号伝搬遅延時間を有する第２コネクタの他端が前記接続部に接続された第２接続状態と、前記ケーブルアセンブリの一端が前記接続部に接続され該ケーブルアセンブルの他端が前記第１コネクタに接続された第３接続状態と、前記ケーブルアセンブリの一端が前記接続部に接続され該ケーブルアセンブリの他端が前記第２コネクタの他端に接続された第４接続状態とにおける各反射係数振幅値の時間変化特性を計測する反射係数測定処理手順と、前記反射係数測定処理手順によって計測された各反射係数振幅値の時間変化特性を重ね合わせて可視出力する出力処理手順と、をコンピュータに実行させるケーブルアセンブリの電気特性測定プログラムである。
【００２０】
こられの発明によれば、一端が開放した第１コネクタと一端が短絡された第２コネクタの各反射係数振幅値の時間変化特性を重ね合わせたときの分岐点と、ケーブルアセンブリおよびその遠端側に接続された第１コネクタとケーブルアセンブリおよびその遠端側に接続された第２コネクタとの各反射係数振幅値の時間反射特性を重ね合わせたときの分岐点との間の時間差の２分の１をケーブルアセンブリの伝搬遅延時間として求めているので、明瞭な分岐点の視認が可能となり、測定者による測定誤差を小さくでき、精度の高いケーブルアセンブリの伝搬遅延時間を測定することができる。
【００２１】
また、この発明は、可視出力画面上で指示された前記第１接続状態と前記第２接続状態とにおける各反射係数振幅値の時間変化特性の分岐点と、可視出力画面上で指示された前記第４接続状態と前記第４接続状態とにおける各反射係数振幅値の時間変化特性の分岐点との間の時間差を求め、この時間差の２分の１を前記信号伝搬遅延時間として求める時間差演算処理手順をさらに含むことを特徴とする。
【００２２】
この発明によれば、指示手段が可視出力画面上の分岐点を指示するのみで、伝搬遅延時間算出手段が、伝搬遅延時間を算出するようにしているので、測定者にかかる負担を軽減できるとともに、測定誤差を一層小さくすることができる。
【００２３】
また、この発明は、前記第１出力処理手順、前記第２出力処理手順、または前記出力処理手順は、前記第１接続状態の反射係数振幅値の時間変化特性と前記第２接続状態の反射係数振幅値の時間変化特性とを異なる色で可視出力し、および／または前記第３の接続状態の反射係数振幅値の時間変化特性と前記第４の接続状態の反射係数振幅値の時間変化特性とを異なる色で可視出力することを特徴とする。
【００２４】
この発明によれば、重ね合わせる２つの反射係数振幅値の時間変化特性を異なる色で可視出力するようにしているので、分岐点の視認が一層容易になり、測定者による測定誤差を小さくすることができる。
【００２５】
また、この発明は、前記第１接続状態と前記第２接続状態とにおける各反射係数振幅値の時間変化特性の分岐点の位置と、前記第４接続状態と前記第４接続状態とにおける各反射係数振幅値の時間変化特性の分岐点の位置とを求める分岐点検出処理手順と、前記分岐点間の時間差の２分の１を前記信号伝搬遅延時間として求める時間差演算処理手順と、をさらに含むことを特徴とする。
【００２６】
この発明によれば、重ね合わせる２つの反射係数振幅値の時間変化特性の分岐点が自動検出され、この検出された分岐点をもとに伝搬遅延時間を演算して出力するようにしているので、測定者による測定誤差をなくすことができる。
【００２７】
また、この発明は、接続部を介してケーブルアセンブリが接続され、所定の周波数信号が前記ケーブルアセンブリ側に出力され、該所定の周波数信号の反射係数振幅値を測定し、該反射係数振幅値の時間変化特性をもとに該ケーブルアセンブリの信号伝搬遅延遅延時間を測定するケーブルアセンブリの電気特性測定プログラムであって、両端が開放された第１コネクタが前記接続部に接続された第１接続状態と、一端が短絡され、かつ前記第１コネクタ自体の信号伝搬遅延時間と同じ信号伝搬遅延時間を有する第２コネクタの他端が前記接続部に接続された第２接続状態と、前記ケーブルアセンブリの一端が前記接続部に接続され該ケーブルアセンブルの他端が前記第１コネクタに接続された第３接続状態と、前記ケーブルアセンブリの一端が前記接続部に接続され該ケーブルアセンブリの他端が前記第２コネクタの他端に接続された第４接続状態とにおける各反射係数振幅値の時間変化特性を計測する反射係数測定処理手順と、前記第１接続状態と前記第２接続状態とにおける各反射係数振幅値の時間変化特性の分岐点の位置と、前記第４接続状態と前記第４接続状態とにおける各反射係数振幅値の時間変化特性の分岐点の位置とを求める分岐点検出処理手順と、前記分岐点間の時間差の２分の１を前記信号伝搬遅延時間として求める時間差演算処理手順と、をコンピュータに実行させるケーブルアセンブリの電気特性測定プログラムである。
【００２８】
この発明によれば、重ね合わせる２つの反射係数振幅値の時間変化特性の分岐点が自動検出され、この検出された分岐点をもとに伝搬遅延時間を演算して出力するようにしているので、測定者による測定誤差をなくすことができる。
【００２９】
また、この発明は、接続部を介してケーブルアセンブリが接続され、所定の周波数信号が前記ケーブルアセンブリ側に出力され、該所定の周波数信号の反射係数振幅値を測定し、該反射係数振幅値の時間変化特性をもとに該ケーブルアセンブリの信号伝搬遅延遅延時間を測定するケーブルアセンブリの電気特性測定方法であって、両端が開放された第１コネクタが前記接続部に接続された第１接続状態と、一端が短絡され、かつ前記第１コネクタ自体の信号伝搬遅延時間と同じ信号伝搬遅延時間を有する第２コネクタの他端が前記接続部に接続された第２接続状態とにおける各反射係数振幅値の時間変化特性を計測する第１測定処理工程と、前記第１測定処理手順によって計測された各反射係数振幅値の時間変化特性を重ね合わせて可視出力する第１出力処理工程と、前記ケーブルアセンブリの一端が前記接続部に接続され該ケーブルアセンブルの他端が前記第１コネクタに接続された第３接続状態と、前記ケーブルアセンブリの一端が前記接続部に接続され該ケーブルアセンブリの他端が前記第２コネクタの他端に接続された第４接続状態とにおける各反射係数振幅値の時間変化特性を計測する第２測定処理工程と、前記第２測定処理手順によって計測された各反射係数振幅値の時間変化特性を重ね合わせて可視出力する第２出力処理工程と、を含み、前記第１出力処理工程によって可視出力された各反射係数振幅値の時間変化特性の分岐点の時間と、前記第２出力処理工程によって可視出力された各反射係数振幅値の時間変化特性の分岐点の時間との時間差の２分の１を前記信号伝搬遅延時間として求めることを特徴とする。
【００３０】
また、この発明は、接続部を介してケーブルアセンブリが接続され、所定の周波数信号が前記ケーブルアセンブリ側に出力され、該所定の周波数信号の反射係数振幅値を測定し、該反射係数振幅値の時間変化特性をもとに該ケーブルアセンブリの信号伝搬遅延遅延時間を測定するケーブルアセンブリの電気特性測定方法であって、両端が開放された第１コネクタが前記接続部に接続された第１接続状態と、一端が短絡され、かつ前記第１コネクタ自体の信号伝搬遅延時間と同じ信号伝搬遅延時間を有する第２コネクタの他端が前記接続部に接続された第２接続状態と、前記ケーブルアセンブリの一端が前記接続部に接続され該ケーブルアセンブルの他端が前記第１コネクタに接続された第３接続状態と、前記ケーブルアセンブリの一端が前記接続部に接続され該ケーブルアセンブリの他端が前記第２コネクタの他端に接続された第４接続状態とにおける各反射係数振幅値の時間変化特性を計測する測定処理工程と、前記測定処理手順によって計測された各反射係数振幅値の時間変化特性を重ね合わせて可視出力する出力処理工程と、を含み、前記出力処理工程によって可視出力された前記第１接続状態と前記第２接続状態における各反射係数振幅値の時間変化特性の分岐点の時間と、前記第３接続状態と前記第４接続状態とにおける各反射係数振幅値の時間変化特性の分岐点の時間との時間差の２分の１を前記信号伝搬遅延時間として求めることを特徴とする。
【００３１】
これらの発明によれば、一端が開放した第１コネクタと一端が短絡された第２コネクタの各反射係数振幅値の時間変化特性を重ね合わせたときの分岐点と、ケーブルアセンブリおよびその遠端側に接続された第１コネクタとケーブルアセンブリおよびその遠端側に接続された第２コネクタとの各反射係数振幅値の時間反射特性を重ね合わせたときの分岐点との間の時間差の２分の１をケーブルアセンブリの伝搬遅延時間として求めているので、明瞭な分岐点の視認が可能となり、測定者による測定誤差を小さくでき、精度の高いケーブルアセンブリの伝搬遅延時間を測定することができる。
【００３２】
また、この発明は、前記第１出力処理工程、前記第２出力処理工程、または前記出力処理工程は、前記第１接続状態の反射係数振幅値の時間変化特性と前記第２接続状態の反射係数振幅値の時間変化特性とを異なる色で可視出力し、および／または前記第３の接続状態の反射係数振幅値の時間変化特性と前記第４の接続状態の反射係数振幅値の時間変化特性とを異なる色で可視出力することを特徴とする。
【００３３】
この発明によれば、重ね合わせる２つの反射係数振幅値の時間変化特性を異なる色で可視出力するようにしているので、分岐点の視認が一層容易になり、測定者による測定誤差を小さくすることができる。
【００３４】
【発明を実施するための最良の形態】
以下、添付図面を参照して、この発明に係るケーブルアセンブリの電気特性測定装置、ケーブルアセンブリの電気特性測定プログラムおよびケーブルアセンブリの電気特性測定方法の好適な実施の形態を詳細に説明する。
【００３５】
まず、この発明の第１の実施の形態について説明する。第１図は、この発明の第１の実施の形態である測定装置の構成を示すブロック図である。第１図において、この測定装置は、被測定対象のケーブルアセンブリ３０の伝搬遅延時間を測定するものであり、サンプリングヘッド１１、記録部５、表示処理部６、表示部７、入力部８、出力部９、およびこれら各部を制御する制御部Ｃを有する。
【００３６】
サンプリングヘッド１１は、信号発生部１、計測部２およびサーキュレータ３を有し、高周波信号を用いた測定を行うため、ケーブルアセンブリ３０の近傍まで持ち運ばれ、ケーブルを介して測定装置１０本体に接続される。これによって、ケーブル長などの影響を極力なくした精度の高い高周波測定を行うことができる。信号発生部１は、ケーブルアセンブリ３０が伝送する高周波信号を発生し、サーキュレータ３を介してケーブルアセンブリ３０側に送出される。ケーブルアセンブリ３０側から反射して戻る高周波信号は、サーキュレータ３を介して計測部２に入力される。計測部２は、信号発生部１が出力した高周波信号の入射波とケーブルアセンブリ３０側から戻った反射波との比である反射係数振幅値ρの時間変化特性を計測し、計測結果を記録部５に出力する。
【００３７】
サンプリングヘッド１１に接続された変換アダプタ４には、一端が開放されたコネクタ２１、一端が短絡されたコネクタ２２、ケーブルアセンブリ３０の遠端側にコネクタ２１が接続されたケーブルアセンブリ３０の近端側、ケーブルアセンブリ３０の遠端側にコネクタ２２が接続されたケーブルアセンブリ３０の近端側が順次接続され、この４つの接続状態における反射係数振幅値ρの時間変化特性がサンプリングヘッド１１によって順次計測される。この４つの状態の計測結果である反射係数振幅値ρの時間変化特性５ａ〜５ｄは、記録部５に記録される。
【００３８】
表示処理部６は、変換アダプタ４にコネクタ２１，２２が接続されたときの各反射係数振幅値ρの時間変化特性５ａ，５ｂを表示部７に重ね合わせて表示出力させる処理を行うとともに、ケーブルアセンブリ３０の遠端側にコネクタ２１，２２が接続されたときの各反射係数振幅値ρの時間変化特性５ｃ，５ｄを表示部７に重ね合わせて表示出力させる処理を行う。表示部７は、ＬＣＤなどによって実現される。
【００３９】
入力部８は、キーボード、テンキー、入力パネル、マウスなどのポインティングデバイスなどによって実現され、各種の指示入力を行う。また、出力部９は、プリンタなどによって実現され、入力部８の指示のもとに、プリント出力を行う。なお、入力部８および出力部９は、それぞれ入力インターフェースおよび出力インターフェースを介して外部入力および外部出力できるようにしてもよい。
【００４０】
つぎに、この測定装置１０を用いた伝搬遅延時間の測定処理について説明する。第２図に示すように、測定装置１０のサンプリングヘッド１１は、特性インピーダンスが５０Ωの同軸ケーブル１０ａおよびＳＭＡ型のコネクタ１０ｂを介して変換アダプタ４が接続されている。まず、変換アダプタ４のコネクタ受け部４ｂには、両端が開放状態のコネクタ２１が接続され、第３図（ａ）に示した反射係数振幅値ρの時間変化特性Ｌｏ１が計測され、記録部５に記録される。その後、変換アダプタ４のコネクタ受け部４には、一端が短絡されたコネクタ２２が接続され、第３図（ｂ）に示した反射係数振幅値ρの時間変化特性Ｌｓ１が計測され、記憶部５に記録される。その後、表示処理部６によって、記録部５に記録された反射係数振幅値ρの時間変化特性Ｌｏ１，Ｌｓ１が重ね合わせられて表示部７に表示出力される。
【００４１】
反射係数振幅値ρの時間変化特性Ｌｏ１は、時間の経過とともに、コネクタ２１とコネクタ受け部４ｂとの間に存在するインピーダンス不整合によって反射波が生じて反射係数振幅値ρが増大し、その後コネクタ２１の開放端によって反射係数振幅値ρが急激に大きくなる特性を示す。一方、反射係数振幅値ρの時間変化特性Ｌｓ１は、コネクタ２１の接続時と同様に、時間の経過とともに、コネクタ２２とコネクタ受け部との間に存在するインピーダンス不整合によって反射波が生じて反射係数振幅値ρが増大するが、その後コネクタ２２の短絡端によって反射係数振幅値ρが急激に減少する特性を示す。ここで、反射係数振幅値ρの時間変化特性Ｌｏ１，Ｌｓ１が重ね合わされると、第３図（ｃ）に示すように、反射係数振幅値ρの時間変化特性Ｌｏ１，Ｌｓ１の分岐点Ｐ１を客観的に精度高く視認することができる。なお、この分岐点Ｐ１は、コネクタ２１の開放端であってコネクタ２２の短絡端の位置に対応する。したがって、第２３図に示したような時間変化特性のふらつきによる測定者の測定誤差をなくすことができる。
【００４２】
その後、変換アダプタ４のコネクタ受け部４ｂにはケーブルアセンブリ３０が接続され、かつケーブルアセンブリ３０の遠端側にコネクタ２１が接続され、この状態で、第５図（ａ）に示すように、反射係数振幅値ρの時間変化特性Ｌｏ２が計測され、記録部５に記録される。さらに、コネクタ２１をコネクタ２２に代えて接続し、変換アダプタ４のコネクタ受け部４ｂに、ケーブルアセンブリ３０が接続され、かつケーブルアセンブリ３０の遠端部にコネクタ２２が接続された状態にし、反射係数振幅値ρの時間変化特性Ｌｓ２が記録部５に記録される。表示処理部６は、反射係数振幅値ρの時間変化特性Ｌｏ２，Ｌｓ２を重ね合わせて表示部７に表示出力する処理を行う。
【００４３】
反射係数振幅値ρの時間変化特性Ｌｏ２，Ｌｓ２が重ね合わせられると、反射係数振幅値ρの時間変化特性Ｌｏ１，Ｌｓ１の分岐点Ｐ１が時間の増大方向にシフトした特性を示し、コネクタ２１，２２のみを接続したときと同様に分岐点Ｐ２が形成される。この分岐点は、コネクタ２１の開放端であってコネクタ２２の短絡端の位置に対応する。この分岐点Ｐ２も、時間の経過方向に向かって大きく分岐しているので、分岐点Ｐ２を客観的に精度高く視認することができ、時間変化特性のふらつきによる測定者の測定誤差をなくすことができる。
【００４４】
ここで、分岐点Ｐ１の時間ｔ１と分岐点Ｐ２の時間ｔ２との時間差の２分の１が、ケーブルアセンブリの伝搬遅延時間Ｔｄである。この時間差を２分の１にするのは、高周波信号が往復する時間だからである。
【００４５】
第６図に示すように、変換アダプタ４自体の伝搬遅延時間Ｔ１は同じであり、コネクタ２１あるいはコネクタ２２自体の伝搬遅延時間Ｔ２も同じであるため、分岐点Ｐ１，Ｐ２に対応する位置Ｐ３，Ｐ４間の伝搬遅延時間Ｔ３は、ケーブルアセンブリ３０自体の伝搬遅延時間Ｔｄと同じなる。これによって、上述した時間ｔ１と時間ｔ２との時間差の２分の１を求めることによって、ケーブルアセンブリ３０の伝搬遅延時間Ｔｄを求めることができる。
【００４６】
ここで、第７図に示したフローチャートをもとに、測定装置１０による伝搬遅延時間の測定処理手順について説明する。まず、制御部Ｃは、入力部８からの計測指示があったか否かを判断する（ステップＳ１０１）。計測指示がない場合（ステップＳ１０１，ＮＯ）、この判断処理を繰り返し、計測指示があった場合（ステップＳ１０１，ＹＥＳ）、信号発生部１から高周波信号を発生させる（ステップＳ１０２）。その後、計測部２は、信号発生部１からの入射波と変換アダプタ４側からの反射波とをもとに反射係数振幅値ρを計測し（ステップＳ１０３）、その時間変化特性を記録部５に記録する（ステップＳ１０４）。そして、この時間変化特性の記録が終了すると、信号発生部１からの高周波信号発生を停止させる（ステップＳ１０５）。
【００４７】
その後、上述した反射係数振幅値の時間変化特性を２回計測したか否かを図示しないカウンタをもとに判断する（ステップＳ１０６）。１回の計測である場合（ステップＳ１０６，ＮＯ）には、ステップＳ１０１に移行し、上述した処理を繰り返す。
【００４８】
一方、２回の計測である場合（ステップＳ１０６，ＹＥＳ）には、カウンタの値をクリアにし（ステップＳ１０７）、表示処理部６は、記録部５に記憶されている２つの反射係数振幅値の時間変化特性を重ね合わせて表示部７に表示出力する処理を行う（ステップＳ１０８）。ここで、表示処理部６は、２つの反射係数振幅値の時間変化特性の分岐点を一層視認し易くするために、各反射係数振幅値の時間変化特性を異なる色で表示する処理を行うようにすることが好ましい。その後、制御部Ｃは、入力部８から終了指示を受けたか否かを判断し（ステップＳ１０９）、終了指示がない場合（ステップＳ１０９，ＮＯ）には、ステップＳ１０１に移行し、上述した処理を繰り返し、終了指示があった場合（ステップＳ１０９，ＹＥＳ）には、本処理を終了する。
【００４９】
この処理によって、反射係数振幅値の時間変化特性Ｌｏ１，Ｌｓ１が重ね合わせ表示されて分岐点Ｐ１の時間ｔ１が得られ、反射係数振幅値の時間変化特性Ｌｏ２，Ｌｓ２が重ね合わせ表示されて分岐点Ｐ１の時間ｔ２が得られ、その後、この時間ｔ１，ｔ２の時間差の２分の１を計算することによってケーブルアセンブリの伝搬遅延時間が得られることになる。
【００５０】
ところで、これまで説明した実施の形態では、反射係数振幅値の時間変化特性Ｌｏ１，Ｌｓ１の重ね合わせ表示と反射係数振幅値の時間変化特性Ｌｏ２，Ｌｓ２の重ね合わせ表示とを別に行っていたが、第８図に示すように、反射係数振幅値の時間変化特性Ｌｏ１，Ｌｓ１，Ｌｏ２，Ｌｓ２をすべて重ね合わせ表示し、この重ね合わせ表示された表示画面から同時に分岐点Ｐ１，Ｐ２の時間ｔ１，ｔ２を得るようにしてもよい。
【００５１】
ここで、第９図に示すフローチャートを参照して、４つの反射係数振幅値の時間変化特性Ｌｏ１，Ｌｓ１，Ｌｏ２，Ｌｓ２を同時に重ね合わせ表示する場合における測定装置の処理手順について説明する。
【００５２】
まず、ステップＳ１０１〜Ｓ１０５と同様にして、１つの反射係数振幅値の時間変化特性を計測して記録部５に記録させる（ステップＳ２０１〜Ｓ２０５）。その後、制御部Ｃは、この一連の処理を４回繰り返したか否かを判断する（ステップＳ２０６）。この場合、一連の処理が４回繰り返されることによって、４つの反射係数振幅値の時間変化特性Ｌｏ１，Ｌｓ１，Ｌｏ２，Ｌｓ２が記録部５に記録されることになる。
【００５３】
一連の処理が４回繰り返されなかった場合（ステップＳ２０６，ＮＯ）には、ステップＳ２０１に移行して上述した反射係数振幅値の時間変化特性の計測と記録とを行い、一連の処理が４回繰り返された場合（ステップＳ２０６，ＹＥＳ）には、表示処理部６が、４つの反射係数振幅値の時間変化特性Ｌｏ１，Ｌｓ１，Ｌｏ２，Ｌｓ２のすべてを重ね合わせ表示する処理を行って表示部７に表示出力する（ステップＳ２０７）。この重ね合わされた反射係数振幅値の時間変化特性から２つの分岐点Ｐ１，Ｐ２の時間ｔ１，ｔ２を読み取り、その時間差の２分の１を求めてケーブルアセンブリの伝搬遅延時間Ｔｄを得ることができる。その後、制御部Ｃは、入力部８からの終了指示を受けたか否かを判断し（ステップＳ２０８）、終了指示を受けていない場合（ステップＳ２０８，ＮＯ）には、ステップＳ２０１に移行し、つぎの信号線あるいは他のケーブルアセンブリの信号線の伝搬遅延時間の測定処理を繰り返し行い、終了指示を受けた場合（ステップＳ２０８，ＹＥＳ）には、本処理を終了する。
【００５４】
ここで、上述したケーブルアセンブリの伝搬遅延時間測定の測定結果について説明する。この測定は、同一の同軸ケーブルアセンブリを上述した実施の形態による測定と従来のオープン法およびショート法による測定とを２人の測定者Ａ，Ｂによって行った。なお、この同軸ケーブルアセンブリは、ピン数が１０本であり、１本の信号線毎に測定が行われた。
【００５５】
従来のオープン法を用いた場合における測定結果は、第１０図に示すとおりである。従来のオープン法を用いた場合、測定者Ａ，Ｂの測定値の差の２乗平均は、７２（ｐｓ／ｍ）であった。また、従来のショート法を用いた場合における測定者Ａ，Ｂの測定値の差の２乗平均は、８０（ｐｓ／ｍ）であった。これに対し、この発明の実施の形態による測定方法を用いた場合における測定結果は、第１図に示すとおりであり、測定者Ａ，Ｂの測定値の差の２乗平均は、１５（ｐｓ／ｍ）であった。この結果、この実施の形態で説明した測定方法を用いれば、測定者間の測定誤差を極端に減少することができることになる。
【００５６】
ところで、上述した実施の形態では、ケーブルアセンブリ３０の両端のオス／メス形状を考慮する必要がある。第１２図に示すように、ケーブルアセンブリ３０の一端がメスであり、他端がオスである場合、コネクタ２１，２２に対応するコネクタは、２つのコネクタ４１，４２を用意すればよい。なお、第１２図では、変換ケーブルのコネクタ受け部がオス形状となっている。この場合、２つのコネクタ４１，４２自体の伝搬遅延時間は同じに設定しておく必要がある。２つのコネクタ４１，４２のうちコネクタ４１は、両端が開放端となっており、一端がメス形状であり、他端がオス形状をなし、コネクタ４２は、一端が短絡端となっており、短絡端側がオス形状で、開放端側がメス形状となっている。このコネクタ４１，４２を用いた計測を行う場合、コネクタ４１，４２をそれぞれコネクタ受け部４ｂに接続した状態の反射係数振幅値の時間変化特性Ｌｏ１，Ｌｓ１を求め、またコネクタ４１，４２をそれぞれケーブルアセンブリ３０の遠端側に接続した状態の反射係数振幅値の時間変化特性Ｌｏ２，Ｌｓ２を求めることによって、実現できる。これによれば、伝搬遅延時間を同一とした４つのコネクタを用意せずに、２つのコネクタ４１，４２のみで全ての計測を行うことができる。
【００５７】
一方、第１３図に示すように、ケーブルアセンブリ３０の両端がともにメス形状である場合、コネクタ４１，４２を用いることができるが、コネクタ４２は、コネクタ受け部４ｂに直接接続した場合のみしか用いることができず、ケーブルアセンブリ３０の遠端側において短絡させるために、一端がメス形状で短絡され、他端がオス形状で開放されたコネクタ４３を用意する必要がある。すなわち、３つのコネクタ４１〜４３を用意し、これら全ての伝搬遅延時間を同じにしておく必要がある。
【００５８】
ここで、第１２図および第１３図に示したケーブルアセンブリの両端は、オス／メス形状が異なる場合と同じ場合を示し、同じ種類のコネクタ形状であったが、両端が異なる種類のコネクタ形状であるケーブルアセンブリの場合には、ケーブルアセンブリの両端のコネクタ形状を、その両端に備えた変換コネクタを用いることによって、測定を行うことができる。
【００５９】
たとえば、第１４図に示すように、一端がメス形状でコネクタ受け部４ｂとは異なる種類のコネクタ形状と、他端がオス形状でコネクタ受け部４ｂと同じ種類のコネクタ形状とを有したケーブルアセンブリ３１の伝搬遅延時間を計測する場合を考える。この場合、両端が開放され、一端がメス形状でコネクタ受け部４ｂと同じ種類のコネクタ形状をもち、他端がオス形状でコネクタ受け部４ｂと異なる種類のコネクタ形状をもたせたコネクタ４４と、一端が短絡され、短絡された一端がオス形状でコネクタ受け部４ｂと異なる種類のコネクタ形状をもち、他端がメス形状でコネクタ受け部４ｂと同じ種類のコネクタ形状をもたせたコネクタ４５とを用意することによって、ケーブルアセンブリ３１の伝搬遅延時間を測定することができる。
【００６０】
また、両端が異なるコネクタ形状をもつケーブルアセンブリの伝搬遅延時間測定は、第１５図に示すように、変換アダプタ５４に、ケーブルアセンブリ３２の両端のコネクタ種類に対応した２つのコネクタ受け部５４ａ，５４ｂを設けることによっても実現できる。
【００６１】
たとえば、ケーブルアセンブリ３２の両端がメス形状である場合、少なくとも一端がコネクタ受け部５４ｂに対応したオス形状をもち、他端が開放されたコネクタ５１と、少なくとも一端がコネクタ受け部５４ｂに対応したオス形状をもち、他端が短絡されたコネクタ５２とを用意すればよい。なお、変換アダプタ５４は、コネクタ受け部５４ａ，５４ｂに対する伝搬遅延時間が同じになるように、導電パターンやワイヤなどによって電気長を調整する必要がある。第１５図では、ワイヤＬ１，Ｌ２によって電気長を調整している。
【００６２】
この変換アダプタ５４を用いて伝搬遅延時間の測定を行う場合、まず、コネクタ５１，５２をコネクタ受け部５４ｂに順次接続して、反射係数振幅値の時間変化特性Ｌｏ１，Ｌｓ１を測定し、その後、ケーブルアセンブリ３２の一端をコネクタ受け部５４ａに接続し、かつコネクタ５１，５２をケーブルアセンブリ３２の他端に順次接続して、反射係数振幅値の時間変化特性Ｌｏ２，Ｌｓ２を測定すればよい。
【００６３】
なお、上述した第１の実施の形態では、コネクタの複数のピンに対する短絡処理について特に言及していなかったが、この短絡は短絡ピンなどによって短絡するようにしている。
【００６４】
この第１の実施の形態では、伝搬遅延時間が同じコネクタを用い、開放したときと短絡したときのコネクタ自体の反射係数振幅値の時間変化特性Ｌｏ１，Ｌｓ１を計測し、重ね合わせ表示してその分岐点Ｐ１の時間ｔ１を読み取り、ケーブルアセンブリと、その遠端側に、開放または短絡したコネクタを接続し、ケーブルアセンブリおよびコネクタの反射係数振幅値の時間変化特性Ｌｏ２，Ｌｓ２を計測し、重ね合わせ表示してその分岐点Ｐ１の時間ｔ２を読み取り、この時間差の２分の１をケーブルアセンブリの伝搬遅延時間として求めるようにしているので、測定者は分岐点Ｐ１，Ｐ２を容易に読み取ることができ、測定者間の読み取り誤差が小さくなり、ケーブルアセンブリ自体の伝搬遅延時間を客観的に精度良く求めることができる。
【００６５】
つぎに、この発明の第２の実施の形態について説明する。上述した第１の実施の形態では、測定者が表示画面上の分岐点Ｐ１，Ｐ２の時間ｔ１，ｔ２を目視で読み取るものであったが、この第２の実施の形態では、分岐点Ｐ１，Ｐ２を指示するのみで、分岐点Ｐ１，Ｐ２の時間ｔ１，ｔ２あるいは時間ｔ１，ｔ２間の時間差を求めることができるようにしている。
【００６６】
第１６図は、この第２の実施の形態である測定装置の構成を示すブロック図である。この測定装置６０は、測定装置１０の構成に、伝搬遅延時間計算部６１をさらに設けている。その他の構成は、測定装置１０と同じであり、同一構成部分には同一符号を付している。
【００６７】
伝搬遅延時間計算部６１は、表示部７上に反射係数振幅値の時間変化特性が重ね合わせ表示されたときに、分岐点Ｐ１，Ｐ２をポインタ等によって指示すると、この指示された位置に対応する時間ｔ１，ｔ２を求め、この時間差の２分の１を伝搬遅延時間Ｔｄとして求め、表示部７の表示領域７ａに、求めた伝搬遅延時間Ｔｄを表示するようにしている。
【００６８】
ここで、第１７図に示すフローチャートを参照して、この第２の実施の形態の測定装置による測定処理手順について説明する。まず、ステップＳ１０１〜Ｓ１０５と同様にして、１つの反射係数振幅値の時間変化特性を計測して記録部５に記録させる（ステップＳ３０１〜Ｓ３０５）。その後、制御部Ｃは、この一連の処理を２回繰り返したか否かを判断する（ステップＳ３０６）。
【００６９】
この一連の処理が１回のみである場合（ステップＳ３０６，ＮＯ）には、ステップＳ３０１に移行して上述した一連の処理を繰り返し、この一連の処理が２回繰り返された場合（ステップＳ３０６，ＹＥＳ）には、さらにカウンタの計測回数をクリアし（ステップＳ３０７）には、表示処理部６が、２つの反射係数振幅値の時間変化特性Ｌｏ１，Ｌｓ１を重ね合わせ表示する処理を行って表示部７に表示出力する（ステップＳ３０８）。その後、測定者が分岐点Ｐ１を表示画面上で認識し、入力部８から、ポインタを分岐点Ｐ１に移動させ、指示確定することによって、この分岐点Ｐ１の時間ｔ１が記録部５に記録される（ステップＳ３０９）。
【００７０】
その後、分岐点の時間が２回記録されたか否かを判断し（ステップＳ３１０）、２回記録されていない場合（ステップＳ３１０，ＮＯ）には、ステップＳ３０１に移行して、上述した処理を繰り返し、分岐点Ｐ２の時間ｔ２を記録部５に記録する処理を行う。
【００７１】
一方、分岐点の時間が２回記録された場合（ステップＳ３１０，ＹＥＳ）には、記録部５に記録されている時間ｔ１．ｔ２の時間差の２分の１の時間を求め、伝搬遅延時間Ｔｄとして表示部７の表示領域７ａに表示出力する（ステップＳ３１１）。その後、入力部８から、終了指示があったか否かを判断し（ステップＳ３１２）、終了指示がない場合（ステップＳ３１２，ＮＯ）は、つぎの信号線あるいは他のケーブルアセンブリの伝搬遅延時間の測定を続けて行い、終了指示があった場合（ステップＳ３１２，ＹＥＳ）には、本処理を終了する。
【００７２】
なお、４つの反射係数振幅値の時間変化特性Ｌｏ１，Ｌｓ１，Ｌｏ２，Ｌｓ２のすべてを同時に重ね合わせ表示する場合には、ポインタを用いて２つの分岐点Ｐ１，Ｐ２を指示することによって伝搬遅延時間が求められ、表示出力される。
【００７３】
この第２の実施の形態では、表示画面上の分岐点Ｐ１，Ｐ２を指示するのみで、自動的に伝搬遅延時間を得ることができるので、一層容易にかつ客観的に精度の良い伝搬遅延時間測定を行うことができる。
【００７４】
つぎに、この発明の第３の実施の形態について説明する。上述した第２の実施の形態では、測定者が表示画面上の分岐点Ｐ１，Ｐ２をポインタで指示するのみで、伝搬遅延時間を自動的に求め、表示出力するものであったが、この第３の実施の形態では、分岐点Ｐ１，Ｐ２を自動的に求め、さらに伝搬遅延時間を自動的に求めて、表示出力するようにしている。
【００７５】
第１８図は、この第３の実施の形態である測定装置の構成を示すブロック図である。この測定装置７０は、測定装置２０の構成に、分岐点検出部７１をさらに設けている。その他の構成は、測定装置６０と同じであり、同一構成部分には同一符号を付している。
【００７６】
分岐点検出部７１は、２つの反射係数振幅値の時間変化特性の分岐点Ｐ１，Ｐ１を求める演算処理を行う。この求められた分岐点Ｐ１，Ｐ２の位置は伝搬遅延時間計算部６１に入力され、伝搬遅延時間計算部６１は、それぞれ分岐点Ｐ１，Ｐ２に対応する時間ｔ１，ｔ２を求め、この時間差の２分の１を伝搬遅延時間Ｔｄとして求め、表示部７の表示領域７ａに、求めた伝搬遅延時間Ｔｄを表示するようにしている。
【００７７】
ここで、第１９図に示すフローチャートを参照して、この第３の実施の形態の測定装置による測定処理手順について説明する。まず、ステップＳ３０１〜Ｓ３０５と同様にして、１つの反射係数振幅値の時間変化特性を計測して記録部５に記録させる（ステップＳ４０１〜Ｓ４０５）。その後、制御部Ｃは、この一連の処理を２回繰り返したか否かを判断する（ステップＳ４０６）。
【００７８】
この一連の処理が１回のみである場合（ステップＳ４０６，ＮＯ）には、ステップＳ４０１に移行して上述した一連の処理を繰り返し、この一連の処理が２回繰り返された場合（ステップＳ４０６，ＹＥＳ）には、さらにカウンタの計測回数をクリアし（ステップＳ４０７）には、表示処理部６が、２つの反射係数振幅値の時間変化特性Ｌｏ１，Ｌｓ１を重ね合わせ表示する処理を行って表示部７に表示出力する（ステップＳ４０８）。その後、分岐点検出部７１は、重ね合わされた２つの反射係数振幅値の時間変化特性Ｌｏ１，Ｌｓ１の分岐点Ｐ１の位置を求める演算処理を行って（ステップＳ４０９）、この分岐点Ｐ１の位置を記録部５に記録する（ステップＳ４１０）。
【００７９】
その後、分岐点の位置が２回記録されたか否かを判断し（ステップＳ４１１）、２回記録されていない場合（ステップＳ４１１，ＮＯ）には、ステップＳ４０１に移行して、上述した処理を繰り返し、分岐点Ｐ２の位置を記録部５に記録する処理を行う。
【００８０】
一方、分岐点の位置が２回記録された場合（ステップＳ４１１，ＹＥＳ）には、記録部５に記録されている位置に対応する時間ｔ１．ｔ２を求め、この時間差の２分の１の時間を求め、伝搬遅延時間Ｔｄとして表示部７の表示領域７ａに表示出力する（ステップＳ４１２）。その後、入力部８から、終了指示があったか否かを判断し（ステップＳ４１３）、終了指示がない場合（ステップＳ４１３，ＮＯ）は、つぎの信号線あるいは他のケーブルアセンブリの伝搬遅延時間の測定を続けて行い、終了指示があった場合（ステップＳ４１３，ＹＥＳ）には、本処理を終了する。
【００８１】
なお、４つの反射係数振幅値の時間変化特性Ｌｏ１，Ｌｓ１，Ｌｏ２，Ｌｓ２のすべてを取得してから、分岐点Ｐ１，Ｐ２の位置を同時に求めるようにしてもよい。
【００８２】
また、表示処理部６による２つあるいは４つの反射係数振幅値の時間変化特性の表示出力（ステップＳ４０８）は行わなくてもよい。
【００８３】
この第３の実施の形態では、表示画面上の分岐点Ｐ１，Ｐ２が自動的に演算され、この演算された分岐点Ｐ１，Ｐ２の位置に対応する時間ｔ１．ｔ２をもとに自動的に伝搬遅延時間を得ることができるので、一層容易にかつ客観的に精度の良い伝搬遅延時間測定を行うことができる。
【００８４】
なお、上述した第１〜第３の実施の形態で説明した被測定対象のケーブルアセンブリは、数１００Ｍｂｐｓ〜数１０Ｇｂｐｓの高速パラレル伝送用あるいは高速シリアル伝送用に用いられるが、その伝送方式が不平衡伝送であっても平衡伝送であってもよいし、ＴＭＤＳ方式、ＬＶＤＳ方式やＧＶＩＦ方式などの各種の伝送方式用のケーブルアセンブリであってもよい。
【００８５】
また、上述した第１〜第３の実施の形態では、表示部７に表示出力するようにしていたが、これに限らず、計測結果が可視表示されればよく、たとえば出力部９などによって印刷出力するようにしてもよい。
【００８６】
さらに、図面中で示した各装置の各構成要素は機能概念的なものであり、必ずしも物理的に図示したように構成されていることを必要としない。すなわち、各装置の分散・統合の具体的形態は図面中のものに限られず、その全部または一部を、各種の負荷や使用状況などに応じて、任意の単位で機能的または物理的に分散・統合して構成することができる。
【００８７】
なお、各装置において行われる各処理機能は、その全部または任意の一部が、制御部Ｃに対応する図示しないＣＰＵおよびこのＣＰＵで解析実行されるプログラムによって実現され、あるいは、ワイヤードロジックによるハードウェアとして実現され得る。
【００８８】
ここで、上述した第１〜第３の実施の形態で説明した測定装置の測定処理機能あるいは測定処理方法は、測定処理プログラムを用いてソフトウェアで実現することができる。
【００８９】
すなわち、この実施の形態で説明した電気特性測定方法は、予め用意されたプログラムをパーソナル・コンピュータやワークステーションなどのコンピュータで実行することによって実現することができる。上述した制御部Ｃは、図示しないＣＰＵおよびＲＡＭによって実現され、上述したプログラムなどがＲＡＭに記憶され、ＣＰＵによって実行される。
【００９０】
このプログラムは、インターネットなどのネットワークを介して配布することができる。また、このプログラムは、ハードディスク、フレキシブルディスク（ＦＤ）、ＣＤ−ＲＯＭ、ＭＯ、ＤＶＤなどのコンピュータで読み取り可能な記録媒体に記録され、コンピュータによって記録媒体から読み出されることによって実行することもできる。
【００９１】
以上説明したように、この発明によれば、一端が開放した第１コネクタと一端が短絡された第２コネクタの各反射係数振幅値の時間変化特性を重ね合わせたときの分岐点と、ケーブルアセンブリおよびその遠端側に接続された第１コネクタとケーブルアセンブリおよびその遠端側に接続された第２コネクタとの各反射係数振幅値の時間反射特性を重ね合わせたときの分岐点との間の時間差の２分の１をケーブルアセンブリの伝搬遅延時間として求めているので、明瞭な分岐点の視認が可能となり、測定者による測定誤差を小さくでき、精度の高いケーブルアセンブリの伝搬遅延時間を測定することができるという効果を奏する。
【００９２】
また、この発明によれば、指示手段が表示画面上の分岐点を指示するのみで、伝搬遅延時間算出手段が、伝搬遅延時間を算出するようにしているので、測定者にかかる負担を軽減できるとともに、測定誤差を一層小さくすることができるという効果を奏する。
【００９３】
また、この発明によれば、重ね合わせる２つの反射係数振幅値の時間変化特性を異なる色で表示出力するようにしているので、分岐点の視認が一層容易になり、測定者による測定誤差を小さくすることができるという効果を奏する。
また、この発明によれば、重ね合わせる２つの反射係数振幅値の時間変化特性の分岐点が自動検出され、この検出された分岐点をもとに伝搬遅延時間を演算して出力するようにしているので、測定者による測定誤差をなくすことができるという効果を奏する。
【００９４】
また、ケーブルアセンブリの一端と他端とのコネクタ形状が異なる場合、前記第１コネクタおよび前記第２コネクタを、前記ケーブルアセンブリの一端と他端とのコネクタ形状にそれぞれ合致したコネクタ形状を有する変換コネクタとし、あるいは、接続部に、異なるコネクタ形状のコネクタを接続可能とする複数のコネクタ受け部を備えるようにしているので、ケーブルアセンブリの両端のコネクタ形状が異なる場合であっても、作業性良く伝搬遅延時間を測定することができるという効果を奏する。
【００９５】
【産業上の利用可能性】
以上のように、この発明に係るケーブルアセンブリの電気特性測定装置、ケーブルアセンブリの電気特性測定プログラムおよびケーブルアセンブリの電気特性測定方法は、測定者によるケーブルアセンブリの伝搬遅延時間の測定誤差を極力小さくし、精度の高い伝搬遅延時間を測定できるので、数１００Ｍｂｐｓ〜数Ｇｂｐｓの高速パラレル伝送あるいは高速シリアル伝送用に用いられるケーブルアセンブリの伝搬遅延時間を測定する測定装置に適している。
【図面の簡単な説明】
【図１】
第１図は、この発明の第１の実施の形態である測定装置の構成を示すブロック図である。
【図２】
第２図は、測定装置の変換アダプタと一端が開放されたコネクタとの接続状態を示す図である。
【図３】
第３図は、コネクタを開放した場合とコネクタを短絡した場合との各反射係数振幅値の時間変化特性の重ね合わせ処理を示す図である。
【図４】
第４図は、測定装置の変換アダプタと一端が開放されたコネクタが接続されたケーブルアセンブリとの接続状態を示す図である。
【図５】
第５図は、ケーブルアセンブリを接続し、コネクタを開放した場合とコネクタを短絡した場合との各反射係数振幅値の時間変化特性の重ね合わせ処理を示す図である。
【図６】
第６図は、伝搬遅延時間が測定できる原理を説明する図である。
【図７】
第７図は、この発明の第１の実施の形態である測定装置によるケーブルアセンブリの伝搬遅延時間の測定処理手順を示すフローチャートである。
【図８】
第８図は、４つの反射係数振幅値の時間変化特性を同時に重ね合わせる処理を説明する図である。
【図９】
第９図は、この発明の第１の実施の形態の変形例である測定装置によるケーブルアセンブリの伝搬遅延時間の測定処理手順を示すフローチャートである。
【図１０】
第１０図は、この発明の第１の実施の形態である測定装置によって計測されたケーブルアセンブリの伝搬遅延時間の測定結果を示す図である。
【図１１】
第１１図は、従来のオープン法によって計測されたケーブルアセンブリの伝搬遅延時間の測定結果を示す図である。
【図１２】
第１２図は、ケーブルアセンブリの両端のコネクタ形状が同じ場合に用いられるコネクタの一例を示す図である。
【図１３】
第１３図は、ケーブルアセンブリの両端のコネクタ形状が同じである他の場合に用いられるコネクタの一例を示す図である。
【図１４】
第１４図は、ケーブルアセンブリの両端のコネクタの種類が異なる場合に用いられるコネクタの一例を示す図である。
【図１５】
第１５図は、ケーブルアセンブリの両端のコネクタの種類が異なる場合に用いられる変換アダプタの一例を示す図である。
【図１６】
第１６図は、この発明の第２の実施の形態である測定装置の構成を示すブロック図である。
【図１７】
第１７図は、この発明の第２の実施の形態である測定装置によるケーブルアセンブリの伝搬遅延時間の測定処理手順を示すフローチャートである。
【図１８】
第１８図は、この発明の第３の実施の形態である測定装置の構成を示すブロック図である。
【図１９】
第１９図は、この発明の第３の実施の形態である測定装置によるケーブルアセンブリの伝搬遅延時間の測定処理手順を示すフローチャートである。
【図２０】
第２０図は、従来のオープン法による測定装置とケーブルアセンブリとの接続関係を示す図である。
【図２１】
第２１図は、従来のオープン法によって得られた反射係数振幅値の時間変化特性を示す図である。
【図２２】
第２２図は、従来のショート法による測定装置とケーブルアセンブリとの接続関係を示す図である。
【図２３】
第２３図は、従来のショート法によって得られた反射係数振幅値の時間変化特性を示す図である。
【国際調査報告】
2004074857.tif 000026
2004074857.tif 000027
2004074857.tif 000028
2004074857.tif 000029